(57)【要約】  下り回線のみで広帯域伝送を行う場合でも、複数の単位バンド間でＡＣＫ／ＮＡＣＫ信号が衝突することなく、ＣＣＥの割り当てを柔軟に行うことができる無線通信端末装置。複数の下り単位バンドを使用して通信する無線通信端末装置（２００）において、ＰＤＣＣＨ受信部（２０７）は、複数の下り単位バンドのサーチスペース内のＣＣＥをブラインド復号して、自装置宛ての下り回線データのリソース割当情報を得て、変調部（２０９）は、複数の下り単位バンドのうち、自装置宛ての前記リソース割当情報が同一ＣＣＥ番号のＣＣＥに割り当てられた複数の特定の下り単位バンドの数に対応した変調多値数の変調方式に基づいて、特定の下り単位バンドにおける前記下り回線データに対する応答信号を変調する。
2010050233.tif 000002
【特許請求の範囲】
【請求項１】
複数の下り単位バンドを使用して通信する無線通信端末装置であって、
前記複数の下り単位バンドのサーチスペース内のＣＣＥをブラインド復号して、自装置宛ての下り回線データのリソース割当情報を得る受信手段と、
前記複数の下り単位バンドのうち、自装置宛ての前記リソース割当情報が同一ＣＣＥ番号のＣＣＥに割り当てられた複数の特定の下り単位バンドの数に対応した変調多値数の変調方式に基づいて、前記特定の下り単位バンドにおける前記下り回線データに対する応答信号を変調する変調手段と、
を具備する無線通信端末装置。
【請求項２】
前記変調手段は、前記特定の下り単位バンドの数ｍに対応した変調多値数２ｍに基づいて、前記応答信号を変調する、
請求項１記載の無線通信端末装置。
【請求項３】
前記変調手段は、ＱＰＳＫとなる変調多値数を、前記特定の下り単位バンドの数に対応した変調多値数の上限とする、
請求項１記載の無線通信端末装置。
【請求項４】
前記変調手段がＢＰＳＫを用いる場合の前記応答信号の送信電力よりも、前記変調手段がＱＰＳＫを用いる場合の前記応答信号の送信電力をより大きくする制御手段、をさらに具備する、
請求項１記載の無線通信端末装置。
【請求項５】
前記変調手段は、前記複数の下り単位バンドのバンド番号にそれぞれ対応付けられた信号点を用いて、前記応答信号を変調する、
請求項１記載の無線通信端末装置。
【請求項６】
前記変調手段は、ＢＰＳＫを用いる場合、前記複数の下り単位バンドのうち、バンド番号が奇数である下り単位バンドの前記応答信号をＩ軸上の信号点に配置し、バンド番号が偶数である下り単位バンドの前記応答信号をＱ軸上の信号点に配置する、
請求項１記載の無線通信端末装置。
【請求項７】
前記変調手段は、ＢＰＳＫを用いる場合、前記複数の下り単位バンドのうち、バンド番号が偶数である下り単位バンドの前記応答信号をＩ軸上の信号点に配置し、バンド番号が奇数である下り単位バンドの前記応答信号をＱ軸上の信号点に配置する、
請求項１記載の無線通信端末装置。
【請求項８】
複数の下り単位バンドを使用して通信する無線通信端末装置に対して、前記無線通信端末装置宛ての下り回線データのリソース割当情報を、前記複数の下り単位バンドのうち、複数の特定の下り単位バンドのサーチスペース内の同一ＣＣＥ番号のＣＣＥにそれぞれ割り当てる割当手段と、
前記特定の下り単位バンドの数に対応した変調多値数の変調方式に基づいて、前記特定の下り単位バンドにおける下り回線データに対する応答信号を復調する受信手段と、
を具備する無線通信基地局装置。
【請求項９】
複数の下り単位バンドを使用して通信する無線通信端末装置において、
前記複数の下り単位バンドのサーチスペース内のＣＣＥをブラインド復号して、前記無線通信端末装置宛ての下り回線データのリソース割当情報を得て、
前記複数の下り単位バンドのうち、前記無線通信端末装置宛ての前記リソース割当情報が同一ＣＣＥ番号のＣＣＥに割り当てられた複数の特定の下り単位バンドの数に対応した変調多値数の変調方式に基づいて、前記特定の下り単位バンドにおける前記下り回線データに対する応答信号を変調する、
変調方法。
【発明の詳細な説明】
【技術分野】
【０００１】
本発明は、無線通信端末装置、無線通信基地局装置および変調方法に関する。
【背景技術】
【０００２】
３ＧＰＰ−ＬＴＥ(3rd Generation Partnership Project Radio Access Network Long Term Evolution、以下、ＬＴＥという)では、下り回線の通信方式としてＯＦＤＭＡ（Orthogonal Frequency Division Multiple Access）が採用され、上り回線の通信方式としてＳＣ−ＦＤＭＡ（Single Carrier Frequency Division Multiple Access）が採用されている（例えば、非特許文献１、２、３参照）。【０００３】
ＬＴＥでは、無線通信基地局装置（以下、基地局と省略する）はシステム帯域内のリソースブロック（Resource Block：ＲＢ）を、サブフレームと呼ばれる時間単位毎に無線通信端末装置（以下、端末と省略する）に割り当てることにより通信を行う。また、基地局は下り回線データおよび上り回線データのリソース割当結果を通知するための制御情報を端末へ送信する。この制御情報は例えばＰＤＣＣＨ（Physical Downlink Control Channel）等の下り回線制御チャネルを用いて端末へ送信される。ここで、各ＰＤＣＣＨは１つまたは連続する複数のＣＣＥ（Control Channel Element）で構成されるリソースを占有する。なお、ＬＴＥでは、システム帯域幅として最大２０ＭＨｚの幅を持つ周波数帯域がサポートされる。【０００４】
また、基地局は１サブフレームに複数の端末を割り当てるため、複数のＰＤＣＣＨを同時に送信する。このとき、基地局は、各ＰＤＣＣＨの送信先の端末を識別するために、送信先の端末ＩＤでマスキング（または、スクランブリング）したＣＲＣビットをＰＤＣＣＨに含めて送信する。そして、端末は、自端末宛ての可能性がある複数のＰＤＣＣＨにおいて、自端末の端末ＩＤでＣＲＣビットをデマスキング（または、デスクランブリング）することによりＰＤＣＣＨをブラインド復号して自端末宛のＰＤＣＣＨを検出する。【０００５】
また、端末でのブラインド復号の回数を削減することを目的として、ブラインド復号の対象となるＣＣＥを、端末毎に限定する方法が検討されている。この方法では、端末毎に、ブラインド復号対象となるＣＣＥ領域（以下、サーチスペース（Search Space）という）を限定する。これにより、各端末は、自端末に割り当てられたサーチスペース内のＣＣＥに対してのみ、ブラインド復号を行えばよいため、ブラインド復号の回数を削減することができる。ここで、各端末のサーチスペースは、各端末の端末ＩＤとランダム化を行う関数であるハッシュ（ｈａｓｈ）関数とを用いて設定される。【０００６】
また、基地局から端末への下り回線データに対して、端末は下り回線データの誤り検出結果を示すＡＣＫ／ＮＡＣＫ信号を基地局へフィードバックする。このＡＣＫ／ＮＡＣＫ信号は例えばＰＵＣＣＨ（Physical Uplink Control Channel）等の上り回線制御チャネルを用いて基地局へ送信される。ここで、ＡＣＫ／ＮＡＣＫ信号の送信に用いるＰＵＣＣＨを基地局から各端末へ通知するためのシグナリングを不要にして下り回線の通信リソースを効率よく使用するために、ＣＣＥとＰＵＣＣＨとを対応付けることが検討されている。各端末は、この対応付けに従って、自端末への制御情報がマッピングされているＣＣＥから、自端末からのＡＣＫ／ＮＡＣＫ信号の送信に用いるＰＵＣＣＨを判定することができる。なお、ＡＣＫ／ＮＡＣＫ信号は、ＡＣＫ（誤り無し）またはＮＡＣＫ（誤り有り）を示す１ビットの信号であり、ＢＰＳＫ変調されて送信される。【０００７】
また、ＬＴＥよりも更なる通信の高速化を実現する３ＧＰＰ  ＬＴＥ−Ａｄｖａｎｃｅｄ（以下、ＬＴＥ−Ａという）の標準化が開始された。ＬＴＥ−Ａでは、最大１Ｇｂｐｓ以上の下り伝送速度および最大５００Ｍｂｐｓ以上の上り伝送速度を実現するために、４０ＭＨｚ以上の広帯域周波数で通信可能な基地局および端末（以下、ＬＴＥ＋端末という）が導入される見込みである。また、ＬＴＥ−Ａシステムは、ＬＴＥ＋端末のみでなく、ＬＴＥシステムに対応する端末を収容することが要求されている。【０００８】
ＬＴＥ−Ａでは、４０ＭＨｚ以上の広帯域通信を実現するために、複数の周波数帯域を連結して通信するバンド連結（Band aggregation）方式が提案されている（例えば、非特許文献１参照）。例えば、２０ＭＨｚの幅を持つ周波数帯域が通信帯域の基本単位(以下、単位バンド（component band）という)とされている。よって、ＬＴＥ−Ａでは、例えば、２つの単位バンドを連結することにより４０ＭＨｚのシステム帯域幅を実現する。【０００９】
また、ＬＴＥ−Ａでは、基地局は、各単位バンドのリソース割当情報を、各単位バンドの下り単位バンドを用いて端末に通知することが考えられる（例えば、非特許文献４）。例えば、４０ＭＨｚの広帯域伝送を行う端末（２つの単位バンドを使用する端末）は、２つの単位バンドのリソース割当情報を、各単位バンドの下り単位バンドに配置されたＰＤＣＣＨを受信することにより得る。【００１０】
また、ＬＴＥ−Ａでは、上り回線および下り回線それぞれにおけるデータ伝送量が互いに独立であることも予想される。例えば、下り回線では広帯域伝送（４０ＭＨｚの通信帯域）を行い、上り回線では狭帯域伝送（２０ＭＨｚの通信帯域）を行う場合があり得る。この場合、端末は、下り回線では２つの下り単位バンドを使用し、上り回線では１つの上り単位バンドのみを使用する。つまり、上り回線と下り回線とで非対称の単位バンドが用いられる（例えば、非特許文献５参照）。この場合、２つの下り単位バンドでそれぞれ送信された下り回線データに対するＡＣＫ／ＮＡＣＫ信号は、いずれも１つの上り単位バンドのＰＵＣＣＨに配置されたＡＣＫ／ＮＡＣＫリソースを用いて基地局へ送信される。
【先行技術文献】
【非特許文献】
【００１１】
【非特許文献１】3GPP TS 36.211 V8.3.0, “Physical Channels and Modulation (Release 8),” May 2008
【非特許文献２】3GPP TS 36.212 V8.3.0, “Multiplexing and channel coding (Release 8),” May 2008
【非特許文献３】3GPP TS 36.213 V8.3.0, “Physical layer procedures (Release 8),” May 2008
【非特許文献４】3GPP TSG RAN WG1 meeting, R1-082468, “Carrier aggregation LTE-Advanced,” July 2008
【非特許文献５】3GPP TSG RAN WG1 meeting, R1-083706, “DL/UL Asymmetric Carrier aggregation,” September 2008
【発明の概要】
【発明が解決しようとする課題】
【００１２】
上記従来技術のように、複数の下り単位バンド、および、複数の下り単位バンドよりも数が少ない上り単位バンドを用いる場合（上り回線と下り回線とで非対称の単位バンドを用いる場合）、上り単位バンドでは、複数の下り単位バンド毎の下り回線データに対するＡＣＫ／ＮＡＣＫ信号を割り当てるためのＰＵＣＣＨ（ＡＣＫ／ＮＡＣＫリソース）を確保する必要がある。このように、すべての下り単位バンド毎のＣＣＥにそれぞれ対応付けられたＰＵＣＣＨ（ＡＣＫ／ＮＡＣＫリソース）を確保すると、上り単位バンドではＰＵＣＣＨに要するリソース量が膨大になる。よって、端末の上り回線データを割り当てる上りリソース（例えば、ＰＵＳＣＨ（Physical Uplink Shared Channel））に確保されるリソース量が少なくなるため、データのスループットが低下してしまう。【００１３】
そこで、例えば、１つの上り単位バンドに配置されたＰＵＣＣＨ（ＡＣＫ／ＮＡＣＫリソース）を複数の下り単位バンド間で共有すること、つまり、すべての単位バンドで１つのＰＵＣＣＨ（ＡＣＫ／ＮＡＣＫリソース）を確保することが考えられる。具体的には、上り単位バンドでは、下り単位バンド当たりのＣＣＥ数（または、複数の下り単位バンド間で最大のＣＣＥ数）に対応するＰＵＣＣＨを確保する。そして、各下り単位バンドの同一ＣＣＥ番号のＣＣＥが同一のＰＵＣＣＨに対応付けられる。よって、端末は、いずれの下り単位バンドのＣＣＥで割り当てられた下り回線データであるかにかかわらず、そのＣＣＥに対応付けられたＰＵＣＣＨ（ＡＣＫ／ＮＡＣＫリソース）を使用して、下り回線データに対するＡＣＫ／ＮＡＣＫ信号を送信する。【００１４】
例えば、端末が２つの単位バンド（単位バンド１および単位バンド２）を使用する場合について説明する。下り回線のみで広帯域伝送（例えば、４０ＭＨｚの通信帯域）を行う場合、端末は、例えば、下り回線では、単位バンド１および単位バンド２の双方の下り単位バンドを使用し、上り回線では、単位バンド２の上り単位バンドを使用せずに、単位バンド１の上り単位バンドのみを使用する。また、ここでは、２つの下り単位バンドには、ＬＴＥ端末を収容できるように、同一ＣＣＥ番号が付されたＣＣＥ（例えば、ＣＣＥ＃１，＃２，…）が配置されている。また、上り単位バンドでは、例えば、ＣＣＥ＃１に対応付けられたＰＵＣＣＨ＃１およびＣＣＥ＃２に対応付けられたＰＵＣＣＨ＃２が配置されている。よって、単位バンド１の下り単位バンドおよび単位バンド２の下り単位バンドにそれぞれ配置された同一ＣＣＥ番号のＣＣＥ＃１は、ＰＵＣＣＨ＃１に共通して対応付けられる。同様に、単位バンド１の下り単位バンドおよび単位バンド２の下り単位バンドにそれぞれ配置された同一ＣＣＥ番号のＣＣＥ＃２は、ＰＵＣＣＨ＃２に共通して対応付けられる。これにより、上り単位バンド内の制御チャネルに要するリソース量を増やすことなく、データのスループットの低下を防ぐことができる。また、端末毎に複数のＣＣＥを使用してＰＤＣＣＨを構成する場合があること、または、ＣＣＥを使用して上り回線データの割当情報を含むＰＤＣＣＨを構成する場合があること（すなわち、端末でのＡＣＫ／ＮＡＣＫ信号の送信が不要な場合）を考慮すると、上り単位バンドに配置されたすべてのＰＵＣＣＨが同時に使用される確率は低い。そのため、ＰＵＣＣＨを複数の単位バンド間で共有することにより、ＰＵＣＣＨのリソース使用効率を向上させることができる。【００１５】
しかしながら、複数の下り単位バンド間で１つの上り単位バンドに配置されたＰＵＣＣＨを共有する方法では、基地局では、ＡＣＫ／ＮＡＣＫ信号の衝突を避けるために、各端末へのＣＣＥの割当に制限が生じる。例えば、単位バンド１の下り単位バンドのＣＣＥ＃１で構成されるＰＤＣＣＨを使用して割り当てられた下り回線データに対するＡＣＫ／ＮＡＣＫ信号は、ＣＣＥ＃１に対応付けられたＰＵＣＣＨ＃１に割り当てられる。よって、単位バンド２の下り単位バンドでは、下り回線データの割当にＣＣＥ＃１が使用されると、ＰＵＣＣＨ＃１において単位バンド１との間で衝突が発生する。このため、基地局は、単位バンド２では、ＣＣＥ＃１を割り当てることができなくなる。さらに、上述したように、端末毎に使用できるＣＣＥ領域（サーチスペース）が設定されるため、各端末宛てのＰＤＣＣＨを割り当てるＣＣＥはさらに限られる。【００１６】
特に、端末に設定される下り単位バンド数が多くなるほど、基地局における、端末へのＣＣＥ割当の自由度はより低下する。例えば、５個の下り単位バンドおよび１個の上り単位バンドを使用する端末に対して、６個のＣＣＥで構成されるサーチスペースが設定される場合について説明する。１ＣＣＥ単位でＰＤＣＣＨを用いる場合には、その端末宛てのＣＣＥ割当候補は各下り単位バンドのサーチスペース内でそれぞれ６個である。ここで、サーチスペース内の６個のＣＣＥのうち、２個のＣＣＥが他の端末宛てのＰＤＣＣＨに割り当てられた場合、端末に割り当て可能なＣＣＥ（サーチスペース内の残りのＣＣＥ）は４個となる。よって、５個の下り単位バンドすべてにＰＤＣＣＨを割り当てることができなくなる。また、下り単位バンドのＣＣＥには、優先度がより高い報知情報を示す制御チャネル（例えば、ＢＣＨ：Broadcast Channel）が割り当てられる場合があるため、この場合、サーチスペース内の割当可能なＣＣＥの数はさらに減少してしまい、データ送信が制限されてしまう。【００１７】
本発明の目的は、下り回線のみで広帯域伝送を行う場合でも、複数の単位バンド間でＡＣＫ／ＮＡＣＫ信号が衝突することなく、ＣＣＥの割当を柔軟に行うことができる基地局、端末および変調方法を提供することである。
【課題を解決するための手段】
【００１８】
本発明の端末は、複数の下り単位バンドを使用して通信する無線通信端末装置であって、前記複数の下り単位バンドのサーチスペース内のＣＣＥをブラインド復号して、自装置宛ての下り回線データのリソース割当情報を得る受信手段と、前記複数の下り単位バンドのうち、自装置宛ての前記リソース割当情報が同一ＣＣＥ番号のＣＣＥに割り当てられた複数の特定の下り単位バンドの数に対応した変調多値数の変調方式に基づいて、前記特定の下り単位バンドにおける前記下り回線データに対する応答信号を変調する変調手段と、を具備する構成を採る。【００１９】
本発明の基地局は、複数の下り単位バンドを使用して通信する無線通信端末装置に対して、前記無線通信端末装置宛ての下り回線データのリソース割当情報を、前記複数の下り単位バンドのうち、複数の特定の下り単位バンドのサーチスペース内の同一ＣＣＥ番号のＣＣＥにそれぞれ割り当てる割当手段と、前記特定の下り単位バンドの数に対応した変調多値数の変調方式に基づいて、前記特定の下り単位バンドにおける下り回線データに対する応答信号を復調する受信手段と、を具備する構成を採る。【００２０】
本発明の変調方法は、複数の下り単位バンドを使用して通信する無線通信端末装置において、前記複数の下り単位バンドのサーチスペース内のＣＣＥをブラインド復号して、前記無線通信端末装置宛ての下り回線データのリソース割当情報を得て、前記複数の下り単位バンドのうち、前記無線通信端末装置宛ての前記リソース割当情報が同一ＣＣＥ番号のＣＣＥに割り当てられた複数の特定の下り単位バンドの数に対応した変調多値数の変調方式に基づいて、前記特定の下り単位バンドにおける前記下り回線データに対する応答信号を変調するようにする。
【発明の効果】
【００２１】
本発明によれば、下り回線のみで広帯域伝送を行う場合でも、複数の単位バンド間でＡＣＫ／ＮＡＣＫ信号が衝突することなく、ＣＣＥの割当を柔軟に行うことができる。
【図面の簡単な説明】
【００２２】
【図１】本発明の実施の形態１に係る基地局の構成を示すブロック図
【図２】本発明の実施の形態１に係る端末の構成を示すブロック図
【図３】本発明の実施の形態１に係る各ＣＣＥに対応付けられたＰＵＣＣＨのリソースを示す図
【図４】本発明の実施の形態１に係るＡＣＫ／ＮＡＣＫ信号の送信を示す図
【図５】本発明の実施の形態１に係るＡＣＫ／ＮＡＣＫ信号の送信を示す図
【図６】本発明の実施の形態１に係る信号点配置を示す図
【図７】本発明の実施の形態２に係る課題を示す図
【図８】本発明の実施の形態２に係る信号点配置を示す図
【発明を実施するための形態】
【００２３】
以下、本発明の実施の形態について図面を参照して詳細に説明する。なお、実施の形態において、同一の構成要素には同一の符号を付し、その説明は重複するので省略する。
【００２４】
（実施の形態１）
図１は、本実施の形態に係る基地局１００の構成を示すブロック図である。
【００２５】
図１に示す基地局１００において、設定部１０１は、例えば、所要伝送レートやデータ伝送量に従って、端末毎に上り回線および下り回線にそれぞれ使用する１つまたは複数の単位バンドを設定（configure）する。そして、設定部１０１は、各端末に設定した単位バンドを含む設定情報を制御部１０２、ＰＤＣＣＨ生成部１０３および変調部１０６に出力する。
【００２６】
制御部１０２は、端末の上り回線データを割り当てる上りリソース（例えば、ＰＵＳＣＨ）を示す上りリソース割当情報、および、端末宛ての下り回線データを割り当てる下りリソース（例えば、ＰＤＳＣＨ（Physical Downlink Shared Channel））を示す下りリソース割当情報を生成する。そして、制御部１０２は、上りリソース割当情報をＰＤＣＣＨ生成部１０３および抽出部１１６に出力し、下りリソース割当情報をＰＤＣＣＨ生成部１０３および多重部１０８に出力する。ここで、制御部１０２は、設定部１０１から入力される設定情報に基づいて、上りリソース割当情報および下りリソース割当情報を、各端末に設定した下り単位バンドに配置されたＰＤＣＣＨに割り当てる。具体的には、制御部１０２は、下りリソース割当情報を、その下りリソース割当情報に示されるリソース割当対象の下り単位バンドに配置されたＰＤＣＣＨに割り当てる。また、制御部１０２は、上りリソース割当情報を、その上り割当情報に示されるリソース割当対象の上り単位バンドと対応付けられた下り単位バンドに配置されたＰＤＣＣＨに割り当てる。なお、ＰＤＣＣＨは、１つまたは複数のＣＣＥで構成される。
【００２７】
ＰＤＣＣＨ生成部１０３は、制御部１０２から入力される上りリソース割当情報および下りリソース割当情報を含むＰＤＣＣＨ信号を生成する。また、ＰＤＣＣＨ生成部１０３は、上りリソース割当情報および下りリソース割当情報が割り当てられたＰＤＣＣＨ信号にＣＲＣビットを付加し、さらにＣＲＣビットを端末ＩＤでマスキング（または、スクランブリング）する。そして、ＰＤＣＣＨ生成部１０３は、マスキング後のＰＤＣＣＨ信号を、変調部１０４に出力する。
【００２８】
変調部１０４は、ＰＤＣＣＨ生成部１０３から入力されるＰＤＣＣＨ信号をチャネル符号化後に変調して、変調後のＰＤＣＣＨ信号を割当部１０５に出力する。
【００２９】
割当部１０５は、変調部１０４から入力される各端末のＰＤＣＣＨ信号を、各単位バンドの下り単位バンドにおける端末毎のサーチスペース内のＣＣＥにそれぞれ割り当てる。例えば、割当部１０５は、各端末に設定された複数の下り単位バンド毎のサーチスペースを、各端末の端末ＩＤおよびランダム化を行うハッシュ関数を用いて算出されるＣＣＥ番号と、サーチスペースを構成するＣＣＥ数（Ｌ）とから算出する。つまり、割当部１０５は、ある端末の端末ＩＤおよびハッシュ関数を用いて算出される、ＣＣＥ番号をその端末のサーチスペースの開始位置（ＣＣＥ番号）に設定し、その端末のサーチスペースとして、開始位置からＣＣＥ数Ｌだけの連続したＣＣＥまでを設定する。ここで、割当部１０５は、端末毎に設定した複数の下り単位バンド間では、同一のサーチスペース（同一ＣＣＥ番号のＣＣＥで構成されるサーチスペース）を設定する。そして、割当部１０５は、ＣＣＥに割り当てたＰＤＣＣＨ信号を多重部１０８に出力する。また、割当部１０５は、ＰＤＣＣＨ信号（リソース割当情報）が割り当てられたＣＣＥを示す情報をＡＣＫ／ＮＡＣＫ受信部１１９に出力する。なお、割当部１０５におけるＣＣＥ割当処理の詳細については後述する。
【００３０】
変調部１０６は、設定部１０１から入力される設定情報を変調して、変調後の設定情報を多重部１０８に出力する。
【００３１】
変調部１０７は、入力される送信データ（下り回線データ）をチャネル符号化後に変調して、変調後の送信データ信号を多重部１０８に出力する。
【００３２】
多重部１０８は、割当部１０５から入力されるＰＤＣＣＨ信号、変調部１０６から入力される設定情報および変調部１０７から入力されるデータ信号（つまり、ＰＤＳＣＨ信号）を多重する。ここで、多重部１０８は、制御部１０２から入力される下りリソース割当情報に基づいて、ＰＤＣＣＨ信号およびデータ信号（ＰＤＳＣＨ信号）を各下り単位バンドにマッピングする。なお、多重部１０８は、設定情報をＰＤＳＣＨにマッピングしてもよい。そして、多重部１０８は、多重信号をＩＦＦＴ（Inverse Fast Fourier Transform）部１０９に出力する。
【００３３】
ＩＦＦＴ部１０９は、多重部１０８から入力される多重信号を時間波形に変換し、ＣＰ（Cyclic Prefix）付加部１１０は、この時間波形にＣＰを付加することによりＯＦＤＭ信号を得る。
【００３４】
送信ＲＦ部１１１は、ＣＰ付加部１１０から入力されるＯＦＤＭ信号に対して送信無線処理（アップコンバート、ディジタルアナログ（Ｄ／Ａ）変換など）を施し、アンテナ１１２を介して送信する。
【００３５】
一方、受信ＲＦ部１１３は、アンテナ１１２を介して受信帯域で受信した受信無線信号に対して受信無線処理（ダウンコンバート、アナログディジタル（Ａ／Ｄ）変換など）を施し、得られた受信信号をＣＰ除去部１１４に出力する。
【００３６】
ＣＰ除去部１１４は、受信信号からＣＰを除去し、ＦＦＴ（Fast Fourier Transform）部１１５は、ＣＰ除去後の受信信号を周波数領域信号に変換する。
【００３７】
抽出部１１６は、制御部１０２から入力される上りリソース割当情報に基づいて、ＦＦＴ部１１５から入力される周波数領域信号から上り回線データを抽出する。そして、ＩＤＦＴ（Inverse Discrete Fourier transform）部１１７は、抽出信号を時間領域信号に変換し、その時間領域信号をデータ受信部１１８およびＡＣＫ／ＮＡＣＫ受信部１１９に出力する。
【００３８】
データ受信部１１８は、ＩＤＦＴ部１１７から入力される時間領域信号を復号する。そして、データ受信部１１８は、復号後の上り回線データを受信データとして出力する。
【００３９】
ＡＣＫ／ＮＡＣＫ受信部１１９は、ＩＤＦＴ部１１７から入力される時間領域信号のうち、下り回線データ（ＰＤＳＣＨ信号）に対する各端末からのＡＣＫ／ＮＡＣＫ信号を、その下り回線データの割当に使用されたＣＣＥに対応付けられたＰＵＣＣＨから抽出する。そして、ＡＣＫ／ＮＡＣＫ受信部１１９は、抽出したＡＣＫ／ＮＡＣＫ信号のＡＣＫ／ＮＡＣＫ判定を行う。ここで、基地局１００が複数の単位バンドの下り回線データ（ＰＤＳＣＨ信号）の下りリソース割当情報を含むＰＤＣＣＨ信号を、複数の単位バンドの下り単位バンドのＣＣＥに割り当てた場合、ＡＣＫ／ＮＡＣＫ受信部１１９は、それぞれのＣＣＥのＣＣＥ番号に対応付けられたＰＵＣＣＨから、複数のＡＣＫ／ＮＡＣＫ信号を抽出する。
【００４０】
また、割当部１０５が１つの端末宛ての下り回線データのリソース割当情報を複数の特定の下り単位バンドの同一ＣＣＥ番号のＣＣＥに割り当てた場合、ＡＣＫ／ＮＡＣＫ受信部１１９は、同一ＣＣＥ番号のＣＣＥが割り当てられた特定の下り単位バンド数に応じた変調多値数の変調方式に基づいて、特定の下り単位バンドにおける下り回線データに対するＡＣＫ／ＮＡＣＫ信号を復調する。具体的には、ＡＣＫ／ＮＡＣＫ受信部１１９は、下りリソース割当情報がｍ個の下り単位バンドで同一ＣＣＥ番号のＣＣＥに割り当てられた場合、変調多値数２ｍの変調方式（例えば、ｍ＝２の場合（変調多値数：４）はＱＰＳＫ、ｍ＝４の場合は１６ＱＡＭ、ｍ＝６の場合は６４ＱＡＭ）に基づいて、ＡＣＫ／ＮＡＣＫ信号を復調する。これにより、ＡＣＫ／ＮＡＣＫ受信部１１９は、同一ＣＣＥ番号のＣＣＥを使用して割り当てられた、複数の単位バンドの下り回線データに対する各ＡＣＫ／ＮＡＣＫ信号を得る。
【００４１】
図２は、本実施の形態に係る端末２００の構成を示すブロック図である。端末２００は、複数の下り単位バンドを使用してデータ信号（下り回線データ）を受信し、そのデータ信号に対するＡＣＫ／ＮＡＣＫ信号を１つの上り単位バンドのＰＵＣＣＨを用いて基地局１００へ送信する。
【００４２】
図２に示す端末２００において、受信ＲＦ部２０２は、受信帯域を変更可能に構成されており、設定情報受信部２０６から入力される帯域情報に基づいて、受信帯域を変更する。そして、受信ＲＦ部２０２は、アンテナ２０１を介して受信帯域で受信した受信無線信号（ここでは、ＯＦＤＭ信号）に対して受信無線処理（ダウンコンバート、アナログディジタル（Ａ／Ｄ）変換など）を施し、得られた受信信号をＣＰ除去部２０３に出力する。
【００４３】
ＣＰ除去部２０３は、受信信号からＣＰを除去し、ＦＦＴ部２０４はＣＰ除去後の受信信号を周波数領域信号に変換する。この周波数領域信号は、分離部２０５に出力される。
【００４４】
分離部２０５は、ＦＦＴ部２０４から入力される信号を、設定情報を含む上位レイヤの制御信号（例えば、ＲＲＣシグナリング等）とＰＤＣＣＨ信号とデータ信号（つまり、ＰＤＳＣＨ信号）とに分離する。そして、分離部２０５は、制御情報を設定情報受信部２０６に出力し、ＰＤＣＣＨ信号をＰＤＣＣＨ受信部２０７に出力し、ＰＤＳＣＨ信号をＰＤＳＣＨ受信部２０８に出力する。
【００４５】
設定情報受信部２０６は、分離部２０５から入力される制御信号から、自端末に設定された上り単位バンドおよび下り単位バンドを示す情報を読み取り、読み取った情報を帯域情報としてＰＤＣＣＨ受信部２０７、受信ＲＦ部２０２および送信ＲＦ部２１５に出力する。また、設定情報受信部２０６は、分離部２０５から入力される制御信号から、自端末に設定された端末ＩＤを示す情報を読み取り、読み取った情報を端末ＩＤ情報としてＰＤＣＣＨ受信部２０７に出力する。
【００４６】
ＰＤＣＣＨ受信部２０７は、分離部２０５から入力されるＰＤＣＣＨ信号をブラインド復号して、自端末宛てのＰＤＣＣＨ信号（下りリソース割当情報）を得る。ここで、ＰＤＣＣＨ信号は、設定情報受信部２０６から入力される帯域情報に示される、自端末に設定された下り単位バンドに配置されたＣＣＥ（すなわち、ＰＤＣＣＨ）にそれぞれ割り当てられている。具体的には、まず、ＰＤＣＣＨ受信部２０７は、設定情報受信部２０６から入力される端末ＩＤ情報に示される自端末の端末ＩＤを用いて自端末のサーチスペースを算出する。ここで、算出されるサーチスペース（サーチスペースを構成するＣＣＥのＣＣＥ番号）は、自端末に設定された複数の下り単位バンド間ですべて同一である。そして、ＰＤＣＣＨ受信部２０７は、算出したサーチスペース内の各ＣＣＥに割り当てられたＰＤＣＣＨ信号を復調および復号する。そして、ＰＤＣＣＨ受信部２０７は、復号後のＰＤＣＣＨ信号に対して、端末ＩＤ情報に示される自端末の端末ＩＤでＣＲＣビットをデマスキングすることによりＣＲＣ＝ＯＫ（誤り無し）となったＰＤＣＣＨ信号を自端末宛てのＰＤＣＣＨ信号であると判定する。ＰＤＣＣＨ受信部２０７は、ＰＤＣＣＨ信号が送信されている単位バンド毎に上記ブラインド復号を行うことにより、その単位バンドのリソース割当情報を取得する。そして、ＰＤＣＣＨ受信部２０７は、自端末宛てのＰＤＣＣＨ信号に含まれる下りリソース割当情報をＰＤＳＣＨ受信部２０８に出力し、上りリソース割当情報をマッピング部２１２に出力する。また、ＰＤＣＣＨ受信部２０７は、各単位バンドで自端末宛てのＰＤＣＣＨ信号が検出されたＣＣＥ（ＣＲＣ＝ＯＫとなるＣＣＥ）のＣＣＥ番号をマッピング部２１２に出力する。
【００４７】
また、ＰＤＣＣＨ受信部２０７は、自端末に設定された複数の下り単位バンドのうち、自端末宛てのＰＤＣＣＨ信号（下りリソース割当情報）が同一ＣＣＥ番号のＣＣＥに割り当てられた特定の下り単位バンドの数に基づいて、ＡＣＫ／ＮＡＣＫ信号の変調多値数（変調レベル）を算出する。具体的には、自端末に設定された複数の下り単位バンドのうち、自端末宛てのＰＤＣＣＨ信号が同一ＣＣＥ番号のＣＣＥに割り当てられた単位バンド数がｍの場合、ＰＤＣＣＨ受信部２０７は、ＡＣＫ／ＮＡＣＫ信号の変調多値数（変調レベル）を２ｍとする。そして、ＰＤＣＣＨ受信部２０７は、算出した変調多値数２ｍを変調部２０９に出力する。
【００４８】
ＰＤＳＣＨ受信部２０８は、ＰＤＣＣＨ受信部２０７から入力される下りリソース割当情報に基づいて、分離部２０５から入力されるＰＤＳＣＨ信号から受信データ（下り回線データ）を抽出する。また、ＰＤＳＣＨ受信部２０８は、抽出した受信データ（下り回線データ）に対して誤り検出を行う。そして、ＰＤＳＣＨ受信部２０８は、誤り検出の結果、受信データに誤りがある場合にはＡＣＫ／ＮＡＣＫ信号としてＮＡＣＫ信号を生成し、受信データに誤りが無い場合にはＡＣＫ／ＮＡＣＫ信号としてＡＣＫ信号を生成する。そして、ＰＤＳＣＨ受信部２０８は、ＡＣＫ／ＮＡＣＫ信号を変調部２０９に出力する。
【００４９】
変調部２０９は、ＰＤＣＣＨ受信部２０７から入力される変調多値数（２ｍ）の変調方式に基づいて、ＰＤＳＣＨ受信部２０８から入力されるＡＣＫ／ＮＡＣＫ信号を変調する。つまり、変調部２０９は、自端末に設定された複数の下り単位バンドのうち、自端末宛てのＰＤＣＣＨ信号（下りリソース割当情報）が同一ＣＣＥ番号のＣＣＥに割り当てられた特定の下り単位バンドの数に対応した変調多値数の変調方式に基づいて、特定の下り単位バンドにおける下り回線データに対するＡＣＫ／ＮＡＣＫ信号を変調する。これにより、変調部２０９では、特定の下り単位バンドにおける下り回線データに対するそれぞれのＡＣＫ／ＮＡＣＫ信号を含む変調シンボルが得られる。そして、変調部２０９は、変調後のＡＣＫ／ＮＡＣＫ信号をＤＦＴ（Discrete Fourier transform）部２１１に出力する。
【００５０】
変調部２１０は、送信データ（上り回線データ）を変調し、変調後のデータ信号をＤＦＴ部２１１に出力する。
【００５１】
ＤＦＴ部２１１は、変調部２０９から入力されるＡＣＫ／ＮＡＣＫ信号および変調部２１０から入力されるデータ信号を周波数領域に変換し、得られる複数の周波数成分をマッピング部２１２に出力する。
【００５２】
マッピング部２１２は、ＰＤＣＣＨ受信部２０７から入力される上りリソース割当情報に従って、ＤＦＴ部２１１から入力される複数の周波数成分のうち、データ信号に相当する周波数成分を、上り単位バンドに配置されたＰＵＳＣＨにマッピングする。また、マッピング部２１２は、ＰＤＣＣＨ受信部２０７から入力されるＣＣＥ番号に従って、ＤＦＴ部２１１から入力される複数の周波数成分のうち、ＡＣＫ／ＮＡＣＫ信号に相当する周波数成分またはコードリソースを、上り単位バンドに配置されたＰＵＣＣＨにマッピングする。
【００５３】
例えば、図３に示すように、１次拡散系列（ＺＡＣ（Zero Auto Correlation）系列の巡回シフト量）と２次拡散系列（ウォルシュ系列のようなブロックワイズ拡散コード（Block-wise spreading code））とによりＰＵＣＣＨのリソースが定義される。すなわち、マッピング部２１２では、ＡＣＫ／ＮＡＣＫ信号は、ＰＤＣＣＨ受信部２０７から入力されるＣＣＥ番号に対応付けられた１次拡散系列と２次拡散系列とに割り当てられる。また、図３に示すＰＵＣＣＨは、複数の下り単位バンドで共有する。よって、複数の下り単位バンドでＰＤＳＣＨ信号が送信された場合、マッピング部２１２は、各下り単位バンドで送信されたＰＤＳＣＨ信号に対するＡＣＫ／ＮＡＣＫ信号を、そのＰＤＳＣＨ信号の割当に使用されたＣＣＥのＣＣＥ番号に対応付けられたＰＵＣＣＨのリソースにそれぞれ割り当てる。例えば、単位バンド１の下り単位バンドのＣＣＥ＃０を使用して割り当てられたＰＤＳＣＨ信号に対するＡＣＫ／ＮＡＣＫ信号は、図３に示すＣＣＥ＃０に対応するＰＵＣＣＨのリソースに割り当てられる。同様に、例えば、単位バンド２の下り単位バンドのＣＣＥ＃２を使用して割り当てられたＰＤＳＣＨ信号に対するＡＣＫ／ＮＡＣＫ信号は、図３に示すＣＣＥ＃２に対応するＰＵＣＣＨのリソースに割り当てられる。また、例えば、単位バンド１の下り単位バンドのＰＤＳＣＨ信号が単位バンド１のＣＣＥ＃０を使用して割り当てられ、単位バンド２の下り単位バンドのＰＤＳＣＨ信号が単位バンド２のＣＣＥ＃０を使用して割り当てられた場合には、これらに対するＡＣＫ／ＮＡＣＫ信号は図３に示すＣＣＥ＃０に対応するＰＵＣＣＨのリソースに割り当てられる（図示せず）。
【００５４】
なお、変調部２０９、変調部２１０、ＤＦＴ部２１１およびマッピング部２１２は単位バンド毎に設けられてもよい。
【００５５】
ＩＦＦＴ部２１３は、ＰＵＳＣＨにマッピングされた複数の周波数成分を時間領域波形に変換し、ＣＰ付加部２１４は、その時間領域波形にＣＰを付加する。
【００５６】
送信ＲＦ部２１５は、送信帯域を変更可能に構成されており、設定情報受信部２０６から入力される帯域情報に基づいて、送信帯域を設定する。そして、送信ＲＦ部２１５は、ＣＰが付加された信号に送信無線処理（アップコンバート、ディジタルアナログ（Ｄ／Ａ）変換など）を施してアンテナ２０１を介して送信する。
【００５７】
次に、基地局１００および端末２００の動作の詳細について説明する。
【００５８】
以下の説明では、基地局１００の設定部１０１（図１）は、図４および図５に示すように、２つの下り単位バンド（単位バンド１および単位バンド２）および１つの上り単位バンド（単位バンド１）を端末２００に設定する。すなわち、図４および図５に示すように、設定部１０１は、端末２００に対して、単位バンド１では上り単位バンドおよび下り単位バンドの双方を設定する一方、単位バンド２では、上り単位バンドを設定しないで（未設定）、下り単位バンドのみを設定する。すなわち、基地局１００と端末２００とは、２つの下り単位バンド、および、下り単位バンドよりも少ない数の１つの上り単位バンドを使用して通信する。
【００５９】
また、各下り単位バンドに配置されるＰＤＣＣＨは、図４および図５に示すように、複数のＣＣＥ（ＣＣＥ＃１，ＣＣＥ＃２，ＣＣＥ＃３，…）で構成される。また、図４および図５に示すように、単位バンド１および単位バンド２は、単位バンド１の上り単位バンドに配置されたＰＵＣＣＨ（例えば、図３）を共有する。よって、端末２００は、いずれの単位バンドで受信したＰＤＳＣＨ信号であるかにかかわらず、そのＰＤＳＣＨ信号の割当に使用されたＣＣＥに対応付けられた、単位バンド１の上り単位バンドに配置された１つのＰＵＣＣＨのリソース領域を使用してＡＣＫ／ＮＡＣＫ信号を基地局１００へ送信する。
【００６０】
ここで、割当部１０５は、ＡＣＫ／ＮＡＣＫ信号用のＰＵＣＣＨ（ＡＣＫ／ＮＡＣＫリソース）が複数の下り単位バンド間でできるだけ衝突しないように、下りリソース割当情報を含むＰＤＣＣＨ信号をＣＣＥに割り当てる。例えば、図４に示すように、単位バンド１の下りリソース割当情報（つまり、単位バンド１のＰＤＳＣＨの割当を示す情報）を含むＰＤＣＣＨ信号が単位バンド１の下り単位バンドのＣＣＥ＃１に割り当てられている。この場合、割当部１０５は、単位バンド２の下り単位バンドでは、単位バンド２の下りリソース割当情報（つまり、単位バンド２のＰＤＳＣＨの割当を示す情報）を含むＰＤＣＣＨ信号を、ＣＣＥ＃１以外のＣＣＥ（図４では、ＣＣＥ＃２）に割り当てる。一方、単位バンド１の下りリソース割当情報を含むＰＤＣＣＨ信号をＣＣＥに割り当てる場合には、割当部１０５は、単位バンド１の下りリソース割当情報を含むＰＤＣＣＨ信号を、単位バンド２の下り単位バンドで使用されているＣＣＥ＃２以外のＣＣＥに割り当てる。ここで、単位バンド２の上り単位バンド（端末２００では未設定）が設定された他の端末は、基地局１００へのＡＣＫ／ＮＡＣＫ信号の送信に、単位バンド２の上り単位バンドに配置されたＰＵＣＣＨを使用する。すなわち、単位バンド１の上り単位バンドに配置されたＰＵＣＣＨでは端末２００と他の端末との間で衝突が生じない。このため、割当部１０５は、単位バンド２の下り単位バンドでは、他の端末宛ての下りリソース割当情報を含むＰＤＣＣＨ信号を、単位バンド１で使用されているＣＣＥ＃１に割り当ててもよい（図示せず）。
【００６１】
ここで、基地局１００が、図５に示すように、ＰＤＣＣＨ信号を、端末２００に設定した複数の下り単位バンド（図５では単位バンド１および単位バンド２）間で同一ＣＣＥ番号のＣＣＥ（図５ではＣＣＥ＃１）に割り当てたとする。この場合、端末２００は、同一ＣＣＥ番号のＣＣＥが割り当てられた下り単位バンドの数（図５では２個）に応じた変調多値数の変調方式に基づいて、同一ＣＣＥ番号のＣＣＥを使用して送信された複数の下り回線データに対するＡＣＫ／ＮＡＣＫ信号を変調する。また、端末２００は、変調後のＡＣＫ／ＮＡＣＫ信号を、そのＣＣＥ番号のＣＣＥ（複数の下り単位バンドに割り当てられたＣＣＥ）に対応付けられたＰＵＣＣＨを使用して送信する。つまり、端末２００は、同一ＣＣＥ番号のＣＣＥを使用して送信された複数の下り回線データに対する複数のＡＣＫ／ＮＡＣＫ信号を含む変調シンボルを、そのＣＣＥに対応付けられたＰＵＣＣＨにマッピングする。
【００６２】
以下、基地局１００が、端末２００に設定した複数の単位バンドにおけるＰＤＣＣＨ信号を、複数の単位バンド間で同一ＣＣＥ番号のＣＣＥに割り当てる場合について具体的に説明する。
【００６３】
基地局１００の割当部１０５（図１）は、端末２００に設定された複数の下り単位バンドのうち、最大ｌｏｇ２（Ｍ）個の下り単位バンドの同一ＣＣＥ番号のＣＣＥに、各下り単位バンドのＰＤＣＣＨ信号をそれぞれ割り当てる。ここで、Ｍは、ＡＣＫ／ＮＡＣＫ信号の変調多値数の最大値である。
【００６４】
ここで、変調多値数の最大値Ｍは、端末毎に異なってもよい。例えば、セル中心付近に位置する端末が高い変調多値数でＡＣＫ／ＮＡＣＫ信号を送信する場合には、基地局１００では十分な受信品質でＡＣＫ／ＮＡＣＫ信号が受信される。このため、セル中心付近に位置する端末に対する変調多値数の最大値Ｍを高くしてもよい。一方、セルエッジ付近に位置する端末が高い変調多値数でＡＣＫ／ＮＡＣＫ信号を送信する場合には、基地局１００では十分な受信品質でＡＣＫ／ＮＡＣＫ信号が受信されない。このため、セルエッジ付近に位置する端末に対する変調多値数の最大値Ｍを低くしてもよい。
【００６５】
ただし、例えば、２つのＡＣＫ／ＮＡＣＫ信号（１ビット×２個）が送信される際には、ＢＰＳＫ変調された２つのＡＣＫ／ＮＡＣＫ信号（つまり、２つの変調シンボル）を２つのＰＵＣＣＨを用いて送信（すなわち、マルチコード送信）するよりも、ＱＰＳＫ変調された２つのＡＣＫ／ＮＡＣＫ信号（つまり、１つの変調シンボル）を１つのＰＵＣＣＨを用いて送信する方がＰＡＰＲ（Peak to Average Power Ratio）値またはＣＭ（Cubic Metric）値はより低くなる。つまり、ＱＰＳＫ変調では、ＢＰＳＫ変調よりも低いＰＡＰＲ値またはＣＭ値でＡＣＫ／ＮＡＣＫ信号が送信される。つまり、ＱＰＳＫ変調では、ＢＰＳＫ変調よりも最大送信電力を高くすることができる。
【００６６】
そこで、基地局１００は、セルエッジ付近に位置する端末に対して、ＱＰＳＫとなる変調多値数（つまり、変調多値数：４）を、特定の下り単位バンドの数に対応した変調多値数の上限としてもよい。つまり、割当部１０５は、セルエッジ付近に位置する端末に対して、最大２（＝ｌｏｇ２（４））個の下り単位バンド間で同一ＣＣＥ番号のＣＣＥにＰＤＣＣＨ信号を割り当てる。そして、セルエッジ付近に位置する端末の変調部２０９は、ＱＰＳＫとなる変調多値数（つまり、変調多値数：４）を、特定の下り単位バンドの数に対応した変調多値数の上限として、自端末が送信するＡＣＫ／ＮＡＣＫ信号を変調する。さらに、端末２００の電力制御部（図示せず）は、変調部２０９がＢＰＳＫを用いてＡＣＫ／ＮＡＣＫ信号を変調する場合のＡＣＫ／ＮＡＣＫ信号の送信電力よりも、変調部２０９がＱＰＳＫを用いてＡＣＫ／ＮＡＣＫ信号を変調する場合のＡＣＫ／ＮＡＣＫ信号の送信電力をより大きくする。これにより、基地局１００におけるＡＣＫ／ＮＡＣＫ信号の受信品質を向上させることができる。
【００６７】
次に、図５に示すように、基地局１００の割当部１０５が、２（＝ｌｏｇ２（４））個の下り単位バンド（単位バンド１および単位バンド２）の同一ＣＣＥ番号のＣＣＥ＃１にＰＤＣＣＨ信号（下りリソース割当情報）を割り当てた場合について説明する。
【００６８】
端末２００のＰＤＣＣＨ受信部２０７は、図５に示す単位バンド１および単位バンド２のサーチスペース（図示せず）内のＣＣＥに対してブラインド復号して、単位バンド１および単位バンド２の双方のＣＣＥ＃１に自端末宛ての下りリソース情報が割り当てられていることを特定する。つまり、ＰＤＣＣＨ信号（下りリソース割当情報）が同一ＣＣＥ番号のＣＣＥ（図５ではＣＣＥ＃１）に割り当てられた単位バンド（単位バンド１および単位バンド２）の数は２個である。よって、ＰＤＣＣＨ受信部２０７は、双方の下り単位バンドのＣＣＥ＃１を使用して割り当てられた下り回線データ（ＰＤＳＣＨ信号）に対するＡＣＫ／ＮＡＣＫ信号の変調多値数２ｍとして、４（＝２２）を算出する。
【００６９】
そして、変調部２０９は、変調多値数２ｍ＝４の変調方式であるＱＰＳＫに基づいて、単位バンド１のＣＣＥ＃１を使用して割り当てられた下り回線データに対するＡＣＫ／ＮＡＣＫ信号（１ビット）、および、単位バンド２のＣＣＥ＃１を使用して割り当てられた下り回線データに対するＡＣＫ／ＮＡＣＫ信号（１ビット）を変調する。具体的には、図６に示すように、変調部２０９は、単位バンド１および単位バンド２の２個のＡＣＫ／ＮＡＣＫ信号（１ビット×２個）を、ＩＱ平面上の複数の信号点のいずれかに配置することにより、ＡＣＫ／ＮＡＣＫ信号をＱＰＳＫ変調する。図６では、単位バンド１のＡＣＫ／ＮＡＣＫ信号がＱＰＳＫの各信号点の１ビット目（上位ビット）に配置され、単位バンド２のＡＣＫ／ＮＡＣＫ信号がＱＰＳＫの各信号点の２ビット目（下位ビット）に配置される。また、図６では、‘１’がＡＣＫを示し、‘０’がＮＡＣＫを示す。
【００７０】
よって、例えば、単位バンド１のＡＣＫ／ＮＡＣＫ信号が‘１’（ＡＣＫ）であり、単位バンド２のＡＣＫ／ＮＡＣＫ信号が‘１’（ＡＣＫ）である場合、変調部２０９は、２つのＡＣＫ／ＮＡＣＫ信号をＱＰＳＫ信号として、図６に示す信号点‘１１’に配置する。同様に、単位バンド１のＡＣＫ／ＮＡＣＫ信号が‘０’（ＮＡＣＫ）であり、単位バンド２のＡＣＫ／ＮＡＣＫ信号が‘１’（ＡＣＫ）である場合、変調部２０９は、２つのＡＣＫ／ＮＡＣＫ信号をＱＰＳＫ信号として、図６に示す信号点‘０１’に配置する。信号点‘００’および‘１０’についても同様である。
【００７１】
そして、マッピング部２１２は、図５に示すように、単位バンド１および単位バンド２双方のＡＣＫ／ＮＡＣＫ信号を含む１つの変調シンボルを、ＣＣＥ＃１に対応付けられたＰＵＣＣＨにマッピングする。
【００７２】
一方、基地局１００のＡＣＫ／ＮＡＣＫ受信部１１９は、変調多値数２ｍ＝４（ＱＰＳＫ）の変調方式であるＱＰＳＫに基づいて、ＡＣＫ／ＮＡＣＫ信号を復調することにより、単位バンド１のＡＣＫ／ＮＡＣＫ信号（図６に示す信号点の１ビット目）および単位バンド２のＡＣＫ／ＮＡＣＫ信号（図６に示す信号点の２ビット目）をそれぞれ抽出する。
【００７３】
このように、端末２００は、自端末に設定された複数の下り単位バンドにおいて同一ＣＣＥ番号のＣＣＥにＰＤＣＣＨ信号（下りリソース割当情報）が割り当てられた場合、つまり、複数の単位バンドにおいて同一ＰＵＣＣＨに対応付けられたＣＣＥが使用される場合、ＡＣＫ／ＮＡＣＫ信号の変調多値数を増加させる。これにより、端末２００は、同一ＣＣＥ番号のＣＣＥを使用した単位バンドで受信した下り回線データに対する各ＡＣＫ／ＮＡＣＫ信号を含む変調シンボルを生成する。つまり、端末２００は同一ＰＵＣＣＨを使用して複数の単位バンドのＡＣＫ／ＮＡＣＫ信号を送信することができる。このため、端末２００では、単位バンド１および単位バンド２の双方で同一ＣＣＥ番号のＣＣＥにＰＤＣＣＨ信号を割り当てても、単位バンド１と単位バンド２との間では、ＡＣＫ／ＮＡＣＫ信号の衝突は発生しない。
【００７４】
例えば、優先度が端末２００よりも高い他の端末へのＣＣＥ割当、または、優先度がより高い報知情報（例えば、ＢＣＨ）へのＣＣＥ割当により、端末２００に設定された複数の下り単位バンド間において、同一ＣＣＥ番号のＣＣＥ（同一ＰＵＣＣＨに対応付けられたＣＣＥ）しか残らない場合があり得る。しかし、上述したように、端末２００は、同一ＣＣＥ番号のＣＣＥを使用して割り当てられた、複数の単位バンドの下り回線データに対する各ＡＣＫ／ＮＡＣＫ信号を、同一ＰＵＣＣＨを用いて基地局１００へ送信することができる。
【００７５】
このため、基地局１００は、端末２００に設定した互いに異なる単位バンド間でのＣＣＥ割当による制限を受けることなく、各下り単位バンドにおいてＣＣＥ割当を柔軟に行うことができる。つまり、基地局１００では、ＰＤＣＣＨ信号をＣＣＥに割り当てられないことによりデータ送信が制限される可能性を低減することができる。
【００７６】
このように、本実施の形態によれば、端末は、互いに異なる単位バンドの下り単位バンドの同一ＣＣＥ番号のＣＣＥを使用して割り当てられたＰＤＳＣＨ信号（下り回線データ）に対するＡＣＫ／ＮＡＣＫ信号を、同一ＣＣＥ番号のＣＣＥを使用した下り単位バンドの数に応じた変調多値数の変調方式に基づいて変調する。これにより、端末は、複数の下り単位バンドの同一ＣＣＥ番号のＣＣＥを使用して割り当てられたＰＤＳＣＨ信号（下り回線データ）に対するＡＣＫ／ＮＡＣＫ信号を、同一ＰＵＣＣＨにマッピングすることができる。よって、下り回線のみで広帯域伝送を行う場合、つまり、上り回線で狭帯域伝送を行う場合でも、基地局は、単位バンド間でのＡＣＫ／ＮＡＣＫ信号の衝突を発生させることなく、リソース割当情報を含むＰＤＣＣＨ信号をＣＣＥに割り当てることができる。よって、本設定方法によれば、下り回線のみで広帯域伝送を行う場合でも、複数の単位バンド間でＡＣＫ／ＮＡＣＫ信号が衝突することなく、ＣＣＥの割当を柔軟に行うことができる。
【００７７】
また、本実施の形態では、ＡＣＫ／ＮＡＣＫ信号に設定される変調多値数の上限をＱＰＳＫに制限した。これにより、より高い変調多値数でＡＣＫ／ＮＡＣＫ信号が送信されること、つまり、信号点間距離の不均等性から受信品質が劣化することを防げるため、ＡＣＫ／ＮＡＣＫ信号の誤り率を低減することができる（つまり、ＡＣＫ／ＮＡＣＫ信号伝送の信頼度を向上させることができる）。
【００７８】
また、本実施の形態によれば、セルエッジ付近に位置する端末に対して、ＱＰＳＫとなる変調多値数を、複数の下り単位バンドの同一ＣＣＥ番号のＣＣＥを使用して割り当てられた下り回線データに対するＡＣＫ／ＮＡＣＫ信号の変調多値数の上限とする。これにより、セルエッジ付近に位置する端末は、同一ＣＣＥ番号のＣＣＥを使用して割り当てられた下り回線データに対するＡＣＫ／ＮＡＣＫ信号を、１シンボルで送信できる。つまり、セルエッジ付近に位置する端末は、マルチコード送信を避けることができるため、低ＰＡＰＲ値または低ＣＭでＡＣＫ／ＮＡＣＫ信号を送信することができる。
【００７９】
なお、本実施の形態において、変調多値数の最大値Ｍは基地局１００から各端末へ予め通知されてもよい。これにより、各端末では、ｌｏｇ２（Ｍ）個より多い数の単位バンド間で同一ＣＣＥ番号のＣＣＥにＰＤＣＣＨ信号が割り当てられた場合には、単位バンドに割り当てられたＰＤＣＣＨ信号のいずれかが受信誤りであると判断することができる。よって、各端末は、ＡＣＫ／ＮＡＣＫ信号の基地局１００への送信を停止することができる。
【００８０】
また、変調多値数の最大値Ｍをセル毎に設定してもよい。そして、基地局１００は、自局のセル内に位置する端末に、自局のセルで設定したＭを通知してもよい。
【００８１】
（実施の形態２）
例えば、基地局が、ＰＤＣＣＨ信号を、単位バンド１および単位バンド２の同一ＣＣＥ番号のＣＣＥに割り当て、１つの端末に対して送信し、その端末が単位バンド１のＰＤＣＣＨ信号を受信できなかった場合（つまり、端末が単位バンド２のＰＤＣＣＨ信号のみを受信した場合）について説明する。
【００８２】
この場合、端末は、２つの単位バンドで同一ＣＣＥ番号のＣＣＥが使用されていないと判断する。よって、端末は、図７に示すように、単位バンド２のＰＤＣＣＨ信号で割り当てられた下り回線データに対するＡＣＫ／ＮＡＣＫ信号を、ＢＰＳＫの信号点（図７に示す‘×’印の‘０’または‘１’）に配置して基地局へ送信する。
【００８３】
しかし、基地局は、同一ＣＣＥ番号のＣＣＥを２つの下り単位バンドで使用したため、実施の形態１と同様にして、変調多値数４（＝２２）のＱＰＳＫの信号点（図７に示す‘＋’印の‘００’〜‘１１’）に基づいて、ＡＣＫ／ＮＡＣＫ信号を受信する。つまり、基地局は、図７に示すＱ軸を判定軸として単位バンド１のＡＣＫ／ＮＡＣＫ信号の判定を行い、図７に示すＩ軸を判定軸として単位バンド２のＡＣＫ／ＮＡＣＫ信号の判定を行う。
【００８４】
例えば、図７において、端末が単位バンド２のＡＣＫ／ＮＡＣＫ信号として‘１’（ＡＣＫ）をＢＰＳＫ信号で送信する（すなわち、Ｉ軸上の‘１’に配置する）場合を一例として説明する。基地局は、ＱＰＳＫの信号点に基づいてＡＣＫ／ＮＡＣＫ信号の判定をするため、チャネル推定誤差またはノイズの影響が少ない場合には、受信したＡＣＫ／ＮＡＣＫ信号を、単位バンド１の‘１：ＡＣＫ’と判定（判定軸：Ｑ軸）する。また、基地局は、受信したＡＣＫ／ＮＡＣＫ信号がＩ軸上に配置されているため、単位バンド２では端末からのＡＣＫ／ＮＡＣＫ信号が送信されないＤＴＸ（Discontinuous Transmission）として判定（判定軸：Ｉ軸）する。
【００８５】
つまり、端末が単位バンド１の下り回線データを受信していないにもかかわらず、基地局は単位バンド１では端末が下り回線データの受信に成功した（ＡＣＫ）と判断する。また、端末が単位バンド２の下り回線データを正常に受信したにもかかわらず、基地局は単位バンド２では端末が下り回線データを正常に受信していないと判断し、再送データを再送する。このように、基地局がある単位バンドのＰＤＣＣＨ信号を送信したにもかかわらず、端末がその単位バンドのＰＤＣＣＨを受信できなかった場合には、基地局はＡＣＫ／ＮＡＣＫ判定を正確にできず、結果としてデータスループットが低下してしまう。
【００８６】
そこで、本実施の形態では、端末２００の変調部２０９は、ＢＰＳＫを用いる場合、複数の下り単位バンドのうち、バンド番号が奇数である下り単位バンドのＡＣＫ／ＮＡＣＫ信号をＩ軸上の信号点に配置し、バンド番号が偶数である下り単位バンドのＡＣＫ／ＮＡＣＫ信号をＱ軸上の信号点に配置する。つまり、変調部２０９は、複数の下り単位バンドのバンド番号にそれぞれ対応付けられた信号点を用いて、各下り単位バンドのＡＣＫ／ＮＡＣＫ信号を変調する。
【００８７】
以下、具体的に説明する。ここでは、ＡＣＫ／ＮＡＣＫ信号の変調多値数の上限を４（つまり、ＱＰＳＫ）とする。
【００８８】
本実施の形態に係る基地局１００の割当部１０５（図１）は、端末２００に設定された複数の下り単位バンドにおいて、各下り単位バンドから送信するＰＤＣＣＨ信号を、最大２（＝ｌｏｇ２（４））個の下り単位バンドで同一ＣＣＥ番号のＣＣＥにそれぞれ割り当てる。
【００８９】
ＡＣＫ／ＮＡＣＫ受信部１１９は、実施の形態１と同様、変調多値数２ｍの変調方式に基づいて、ＡＣＫ／ＮＡＣＫ信号を復調する。ただし、ＡＣＫ／ＮＡＣＫ受信部１１９は、例えば、奇数番号の単位バンドのＣＣＥを使用して割り当てられた下り回線データに対するＡＣＫ／ＮＡＣＫ信号を、そのＣＣＥに対応付けられたＰＵＣＣＨのＩ軸でのビット判定（つまり、Ｑ軸を判定軸とするビット判定）により復調する。一方、ＡＣＫ／ＮＡＣＫ受信部１１９は、例えば、偶数番号の単位バンドのＣＣＥを使用して割り当てられた下り回線データに対するＡＣＫ／ＮＡＣＫ信号を、そのＣＣＥに対応付けられたＰＵＣＣＨのＱ軸でのビット判定（つまり、Ｉ軸を判定軸とするビット判定）により復調する。
【００９０】
一方、本実施の形態に係る端末２００の変調部２０９は、ＢＰＳＫを用いる場合（複数の下り単位バンド間の同一ＣＣＥ番号のＣＣＥが使用されていない場合）、奇数番号の単位バンドのＣＣＥを使用して割り当てられた下り回線データに対するＡＣＫ／ＮＡＣＫ信号をＩ軸上に配置し、偶数番号の単位バンドのＣＣＥを使用して割り当てられた下り回線データに対するＡＣＫ／ＮＡＣＫ信号をＱ軸上に配置する。つまり、変調部２０９では、単位バンドの番号（奇数番号および偶数番号）と、Ｉ軸およびＱ軸とが予め対応付けられており、単位バンドにより使用する軸（Ｉ軸またはＱ軸）が異なる。
【００９１】
例えば、図８に示すＩＱ平面において、変調部２０９は、奇数番号の単位バンドである単位バンド１のＡＣＫ／ＮＡＣＫ信号を、Ｉ軸上の信号点（‘０’または‘１’）に配置することにより、ＢＰＳＫ信号として送信する。同様に、変調部２０９は、図８に示すように、偶数番号の単位バンドである単位バンド２のＡＣＫ／ＮＡＣＫ信号を、Ｑ軸上の信号点（‘０’または‘１’）に配置することにより、ＢＰＳＫ信号として送信する。
【００９２】
また、複数の下り単位バンド間の同一ＣＣＥ番号のＣＣＥが使用された場合、変調部２０９は、実施の形態１と同様にして、そのＣＣＥを使用して割り当てられた下り回線データに対するＡＣＫ／ＮＡＣＫ信号をＱＰＳＫに基づいて変調する。つまり、図８に示すように、奇数番号の単位バンドのＡＣＫ／ＮＡＣＫ信号と偶数番号の単位バンドのＡＣＫ／ＮＡＣＫ信号とがＩ軸およびＱ軸で多重されたＱＰＳＫ信号（図８に示す‘＋’印の信号点）が送信される。ここで、基地局１００は、奇数番号（または偶数番号）の単位バンド間で、同一ＣＣＥ番号のＣＣＥを使用しないように、ＣＣＥ割当をスケジューリングしてもよい。
【００９３】
次に、基地局１００が単位バンド１および単位バンド２の双方で同一ＣＣＥ番号のＣＣＥにＰＤＣＣＨ信号を割り当て、端末２００が単位バンド１のＰＤＣＣＨ信号を受信できなかった場合（つまり、端末が単位バンド２のＰＤＣＣＨ信号のみを受信した場合）について説明する。ここでは、図８において、図７と同様、端末２００が単位バンド２のＡＣＫ／ＮＡＣＫ信号として‘１’（ＡＣＫ）をＢＰＳＫ信号で送信する場合を一例として説明する。
【００９４】
端末２００の変調部２０９は、単位バンド２の下り回線データに対するＡＣＫ／ＮＡＣＫ信号（‘１’（ＡＣＫ））を、単位バンド２、すなわち、偶数番号の単位バンドに対応付けられたＱ軸上の信号点‘１’に配置する。
【００９５】
そして、基地局１００のＡＣＫ／ＮＡＣＫ受信部１１９は、Ｑ軸でのビット判定、つまり、Ｉ軸を判定軸とするビット判定により、単位バンド２のＡＣＫ／ＮＡＣＫ信号の判定を行う。よって、図８に示すように、ＡＣＫ／ＮＡＣＫ受信部１１９は、受信したＡＣＫ／ＮＡＣＫ信号（Ｑ軸上の‘１’）を単位バンド２のＡＣＫと判定する。また、ＡＣＫ／ＮＡＣＫ受信部１１９は、Ｉ軸でのビット判定、つまり、Ｑ軸を判定軸とするビット判定により、単位バンド１のＡＣＫ／ＮＡＣＫ信号の判定を行う。よって、図８に示すように、ＡＣＫ／ＮＡＣＫ受信部１１９は、受信したＡＣＫ／ＮＡＣＫ信号がＱ軸上に配置されているため、単位バンド１はＤＴＸであると判定し、単位バンド１の下り回線データを再送する。
【００９６】
このようにして、本実施の形態では、単位バンド毎にＡＣＫ／ＮＡＣＫ信号のビット判定を行う軸としてＩ軸またはＱ軸が対応付けられる。このため、基地局では、Ｉ軸およびＱ軸でそれぞれ独立にＡＣＫ／ＮＡＣＫ信号を判定することができる。よって、基地局が複数の単位バンドにおいて同一ＣＣＥ番号のＣＣＥに割り当てたＰＤＣＣＨ信号を送信したにもかかわらず、端末が一方の単位バンドのＰＤＣＣＨ信号を受信できなかった場合でも、基地局は、Ｉ軸またはＱ軸に対応付けられた単位バンド毎のＡＣＫ／ＮＡＣＫ信号を正確に判定できる可能性が高くなる。また、基地局は、端末でＰＤＣＣＨ信号を受信できなかった単位バンドでは、ＤＴＸ（すなわち、端末がＡＣＫ／ＮＡＣＫ信号を送信していない）と判定できる可能性が高くなる。よって、本実施の形態によれば、実施の形態１と同様の効果を得つつ、さらに、端末が一部のＰＤＣＣＨ信号を受信できない場合でも、各単位バンドのＡＣＫ／ＮＡＣＫ信号の判定を正確に行うことができる。
【００９７】
なお、本実施の形態において、単位バンドとＩＱ軸との対応付けは基地局１００から各端末へ予め通知してもよい。
【００９８】
また、本実施の形態では、端末２００の変調部２０９が、ＢＰＳＫを用いる場合、奇数番号の単位バンドのＡＣＫ／ＮＡＣＫ信号をＩ軸上に配置し、偶数番号の単位バンドのＡＣＫ／ＮＡＣＫ信号をＱ軸上に配置する場合について説明した。しかし、本発明では、変調部２０９が、ＢＰＳＫを用いる場合、偶数番号の単位バンドのＡＣＫ／ＮＡＣＫ信号をＩ軸上に配置し、奇数番号の単位バンドのＡＣＫ／ＮＡＣＫ信号をＱ軸上に配置してもよい。また、本発明では、ＡＣＫ／ＮＡＣＫ信号を配置する軸は、ＩＱ軸に限らず、例えば、ＩＱ軸を４５度回転させた軸を用いてもよい。
【００９９】
また、本実施の形態では、基地局１００が、ＩＱ軸を判定軸として各単位バンドのＡＣＫ／ＮＡＣＫ信号の判定する場合について説明した。しかし、本発明では、判定軸はＩＱ軸に限らず、例えば、基地局１００は、ＩＱ軸を４５度回転させた軸を判定軸として各単位バンドのＡＣＫ／ＮＡＣＫ信号の判定を行ってもよい。
【０１００】
以上、本発明の各実施の形態について説明した。
【０１０１】
なお、上記実施の形態では、１つのＰＤＣＣＨが占有するＣＣＥ数（ＣＣＥ連結数：CCE aggregation level）が、１つまたは複数のいずれの場合でも、本発明を適用することができる。また、１つのＰＤＣＣＨが占有するＣＣＥ連結数毎にサーチスペースを算出し、サーチスペースを構成するＣＣＥ数Ｌは、ＣＣＥ連結数に応じて異ならせてもよい。
【０１０２】
また、上記実施の形態では、奇数番号の単位バンドおよび偶数番号の単位バンドがＩＱ軸にそれぞれ対応付けられる場合について説明した。しかし、本発明では、ＩＱ軸にそれぞれ対応付ける単位バンドとして、優先度が高いＡｎｃｈｏｒバンド、および、Ａｎｃｈｏｒバンド以外の単位バンドをそれぞれ用いてもよい。
【０１０３】
また、上記実施の形態では、基地局が、端末に設定される複数の下り単位バンド間で同一のサーチスペース（すなわち、同一ＣＣＥ番号のＣＣＥから構成されるサーチスペース）を設定する場合について説明した。しかし、本発明では、基地局は、端末に設定される複数の下り単位バンド毎に互いに異なるサーチスペースを設定してもよい。この場合、基地局は、複数の下り単位バンドのサーチスペース間で重複するＣＣＥに対してのみ、複数の下り単位バンド間で同一ＣＣＥ番号のＣＣＥの割当が可能となり、上記実施の形態を適用することができる。
【０１０４】
また、上記実施の形態で説明したＣＣＥは論理的なリソースであり、ＣＣＥを実際の物理的な時間・周波数リソースへ配置する際には、ＣＣＥは単位バンド内の全帯域に渡って分散して配置される。また、論理的なリソースとしてのＣＣＥが単位バンド毎に分割されてさえいれば、実際の物理的な時間・周波数リソースへのＣＣＥの配置は、全システム帯域（つまり全単位バンド）に渡って分散した配置でもよい。
【０１０５】
また、本実施の形態では、１つの単位バンドのＰＤＳＣＨに対して１つのＡＣＫ／ＮＡＣＫ信号が送信される場合を説明した。しかし、本発明では、ＭＩＭＯ（Multiple-Input Multiple Output）による空間多重送信時など、１つの単位バンドのＰＤＳＣＨに対して複数のＡＣＫ／ＮＡＣＫ信号が送信される場合には、同一ＣＣＥ番号のＣＣＥが割り当てられた単位バンドの合計のＡＣＫ／ＮＡＣＫ数に対応した変調多値数で送信することにより、同様の効果が得られる。
【０１０６】
また、本発明では、端末ＩＤとしてＣ−ＲＮＴＩ（Cell-Radio Network Temporary Identifier）を用いてもよい。
【０１０７】
本発明において、マスキング（スクランブリング）処理は、ビット間（すなわち、ＣＲＣビットと端末ＩＤ）の乗算でもよく、ビット同士を加算し、加算結果のｍｏｄ２（すなわち、加算結果を２で割ったときの余り）を算出してもよい。
【０１０８】
また、上記実施の形態では、単位バンドを、最大２０ＭＨｚの幅を持つ帯域であって、通信帯域の基本単位として定義する場合について説明した。しかし、単位バンドは、次のように定義されることもある。例えば、下り単位バンドは、基地局から報知されるＢＣＨ（Broadcast Channel）の中の下り周波数帯域情報によって区切られた帯域、または、ＰＤＣＣＨが周波数領域に分散配置される場合の分散幅によって定義される帯域、または、中心部分でＳＣＨ（synchronization channel）が送信される帯域として定義されることもある。また、上り単位バンドは、基地局から報知されるＢＣＨの中の上り周波数帯域情報によって区切られた帯域、または、中心付近にＰＵＳＣＨを含み、両端部にＰＵＣＣＨ（Physical Uplink Control Channel）を含む２０ＭＨｚ以下の通信帯域の基本単位として定義されることもある。
【０１０９】
また、上記実施の形態では、単位バンドの通信帯域幅を２０ＭＨｚとする場合について説明したが、単位バンドの通信帯域幅は２０ＭＨｚに限定されない。
【０１１０】
また、バンドアグリゲーション（Band aggregation）は、キャリアアグリゲーション（Carrier aggregation）と呼ばれることもある。また、単位バンドは、ＬＴＥにおいて、単位キャリア（Component carrier(s)）と呼ばれることもある。また、バンドアグリゲーションは、連続する周波数帯域を連結する場合に限らず、非連続な周波数帯域を連結してもよい。
【０１１１】
また、基地局が端末毎に設定する１つまたは複数の上り回線の単位バンドはUE UL component carrier setと呼ばれ、下り回線の単位バンドはUE DL component carrier setと呼ばれることもある。
【０１１２】
また、端末はＵＥ、基地局はNode BまたはBS（Base Station）と呼ばれることもある。また、端末ＩＤはＵＥ−ＩＤと呼ばれることもある。
【０１１３】
また、上記実施の形態では、本発明をハードウェアで構成する場合を例にとって説明したが、本発明はソフトウェアで実現することも可能である。
【０１１４】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１１５】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１１６】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１１７】
２００８年１０月３１日出願の特願２００８−２８１３９１の日本出願に含まれる明細書、図面および要約書の開示内容は、すべて本願に援用される。
【産業上の利用可能性】
【０１１８】
本発明は、移動体通信システム等に適用することができる。
【図１】
2010050233.tif 000003
【図２】
2010050233.tif 000004
【図３】
2010050233.tif 000005
【図４】
2010050233.tif 000006
【図５】
2010050233.tif 000007
【図６】
2010050233.tif 000008
【図７】
2010050233.tif 000009
【図８】
2010050233.tif 000010
【手続補正書】
【提出日】平成22年8月13日(2010.8.13)
【手続補正１】
【補正対象書類名】特許請求の範囲
【補正対象項目名】全文
【補正方法】変更
【補正の内容】
【特許請求の範囲】
【請求項１】
複数の下り単位バンドに配置された、自装置宛ての下り回線データのリソース割当情報を受信する受信手段と、
前記複数の下り単位バンドにおいて前記リソース割当情報が配置されたＣＣＥのＣＣＥ番号に対応した、１つの上り単位バンドにおける上り回線のリソースを用いて、前記下り回線データに対する応答信号を送信する送信手段と、
を具備する無線通信端末装置。
【請求項２】
前記複数の下り単位バンドにおける同一のＣＣＥ番号に、前記１つの上り単位バンドにおける、同一の前記上り回線のリソースが対応付けられている、
請求項１記載の無線通信端末装置。
【請求項３】
前記送信手段は、さらに、前記複数の下り単位バンドのうち、自装置宛ての前記リソース割当情報が同一ＣＣＥ番号のＣＣＥに割り当てられた複数の特定の下り単位バンドの数に対応した変調多値数の変調方式に基づいて、前記特定の下り単位バンドにおける前記下り回線データに対する応答信号を変調する、
請求項１又は２に記載の無線通信端末装置。
【請求項４】
前記送信手段は、前記特定の下り単位バンドの数ｍに対応した変調多値数２ｍに基づいて、前記応答信号を変調する、
請求項３記載の無線通信端末装置。
【請求項５】
前記送信手段は、ＱＰＳＫとなる変調多値数を、前記特定の下り単位バンドの数に対応した変調多値数の上限とする、
請求項３又は４に記載の無線通信端末装置。
【請求項６】
前記送信手段がＢＰＳＫを用いる場合の前記応答信号の送信電力よりも、前記送信手段がＱＰＳＫを用いる場合の前記応答信号の送信電力をより大きくする制御手段、をさらに具備する、
請求項１から５のいずれかに記載の無線通信端末装置。
【請求項７】
前記送信手段は、前記複数の下り単位バンドのバンド番号にそれぞれ対応付けられた信号点を用いて、前記応答信号を変調する、
請求項１から６のいずれかに記載の無線通信端末装置。
【請求項８】
前記送信手段は、ＢＰＳＫを用いる場合、前記複数の下り単位バンドのうち、バンド番号が奇数である下り単位バンドの前記応答信号をＩ軸上の信号点に配置し、バンド番号が偶数である下り単位バンドの前記応答信号をＱ軸上の信号点に配置する、
請求項１から７のいずれかに記載の無線通信端末装置。
【請求項９】
前記送信手段は、ＢＰＳＫを用いる場合、前記複数の下り単位バンドのうち、バンド番号が偶数である下り単位バンドの前記応答信号をＩ軸上の信号点に配置し、バンド番号が奇数である下り単位バンドの前記応答信号をＱ軸上の信号点に配置する、
請求項１から７のいずれかに記載の無線通信端末装置。
【請求項１０】
無線通信端末装置宛ての下り回線データのリソース割当情報を、複数の下り単位バンドにおけるＣＣＥにそれぞれ配置する配置手段と、
前記無線通信端末装置から、前記ＣＣＥのＣＣＥ番号に対応した１つの上り単位バンドにおける上り回線のリソースを用いて送信された、前記下り回線データに対する応答信号を受信する受信手段と、
を具備する無線通信基地局装置。
【請求項１１】
複数の下り単位バンドに配置された、無線通信端末装置宛ての下り回線データのリソース割当情報を受信し、
前記複数の下り単位バンドにおいて前記リソース割当情報が配置されたＣＣＥのＣＣＥ番号に対応した、１つの上り単位バンドにおける上り回線のリソースを用いて、前記下り回線データに対する応答信号を送信する、
応答信号送信方法。
【手続補正書】
【提出日】平成23年1月27日(2011.1.27)
【手続補正１】
【補正対象書類名】明細書
【補正対象項目名】全文
【補正方法】変更
【補正の内容】
【発明の詳細な説明】
【技術分野】
【０００１】
本発明は、無線通信端末装置、無線通信基地局装置および変調方法に関する。
【背景技術】
【０００２】
３ＧＰＰ−ＬＴＥ(3rd Generation Partnership Project Radio Access Network Long Term Evolution、以下、ＬＴＥという)では、下り回線の通信方式としてＯＦＤＭＡ（Orthogonal Frequency Division Multiple Access）が採用され、上り回線の通信方式としてＳＣ−ＦＤＭＡ（Single Carrier Frequency Division Multiple Access）が採用されている（例えば、非特許文献１、２、３参照）。
【０００３】
ＬＴＥでは、無線通信基地局装置（以下、基地局と省略する）はシステム帯域内のリソースブロック（Resource Block：ＲＢ）を、サブフレームと呼ばれる時間単位毎に無線通信端末装置（以下、端末と省略する）に割り当てることにより通信を行う。また、基地局は下り回線データおよび上り回線データのリソース割当結果を通知するための制御情報を端末へ送信する。この制御情報は例えばＰＤＣＣＨ（Physical Downlink Control Channel）等の下り回線制御チャネルを用いて端末へ送信される。ここで、各ＰＤＣＣＨは１つまたは連続する複数のＣＣＥ（Control Channel Element）で構成されるリソースを占有する。なお、ＬＴＥでは、システム帯域幅として最大２０ＭＨｚの幅を持つ周波数帯域がサポートされる。
【０００４】
また、基地局は１サブフレームに複数の端末を割り当てるため、複数のＰＤＣＣＨを同時に送信する。このとき、基地局は、各ＰＤＣＣＨの送信先の端末を識別するために、送信先の端末ＩＤでマスキング（または、スクランブリング）したＣＲＣビットをＰＤＣＣＨに含めて送信する。そして、端末は、自端末宛ての可能性がある複数のＰＤＣＣＨにおいて、自端末の端末ＩＤでＣＲＣビットをデマスキング（または、デスクランブリング）することによりＰＤＣＣＨをブラインド復号して自端末宛のＰＤＣＣＨを検出する。
【０００５】
また、端末でのブラインド復号の回数を削減することを目的として、ブラインド復号の対象となるＣＣＥを、端末毎に限定する方法が検討されている。この方法では、端末毎に、ブラインド復号対象となるＣＣＥ領域（以下、サーチスペース（Search Space）という）を限定する。これにより、各端末は、自端末に割り当てられたサーチスペース内のＣＣＥに対してのみ、ブラインド復号を行えばよいため、ブラインド復号の回数を削減することができる。ここで、各端末のサーチスペースは、各端末の端末ＩＤとランダム化を行う関数であるハッシュ（ｈａｓｈ）関数とを用いて設定される。
【０００６】
また、基地局から端末への下り回線データに対して、端末は下り回線データの誤り検出結果を示すＡＣＫ／ＮＡＣＫ信号を基地局へフィードバックする。このＡＣＫ／ＮＡＣＫ信号は例えばＰＵＣＣＨ（Physical Uplink Control Channel）等の上り回線制御チャネルを用いて基地局へ送信される。ここで、ＡＣＫ／ＮＡＣＫ信号の送信に用いるＰＵＣＣＨを基地局から各端末へ通知するためのシグナリングを不要にして下り回線の通信リソースを効率よく使用するために、ＣＣＥとＰＵＣＣＨとを対応付けることが検討されている。各端末は、この対応付けに従って、自端末への制御情報がマッピングされているＣＣＥから、自端末からのＡＣＫ／ＮＡＣＫ信号の送信に用いるＰＵＣＣＨを判定することができる。なお、ＡＣＫ／ＮＡＣＫ信号は、ＡＣＫ（誤り無し）またはＮＡＣＫ（誤り有り）を示す１ビットの信号であり、ＢＰＳＫ変調されて送信される。
【０００７】
また、ＬＴＥよりも更なる通信の高速化を実現する３ＧＰＰ  ＬＴＥ−Ａｄｖａｎｃｅｄ（以下、ＬＴＥ−Ａという）の標準化が開始された。ＬＴＥ−Ａでは、最大１Ｇｂｐｓ以上の下り伝送速度および最大５００Ｍｂｐｓ以上の上り伝送速度を実現するために、４０ＭＨｚ以上の広帯域周波数で通信可能な基地局および端末（以下、ＬＴＥ＋端末という）が導入される見込みである。また、ＬＴＥ−Ａシステムは、ＬＴＥ＋端末のみでなく、ＬＴＥシステムに対応する端末を収容することが要求されている。
【０００８】
ＬＴＥ−Ａでは、４０ＭＨｚ以上の広帯域通信を実現するために、複数の周波数帯域を連結して通信するバンド連結（Band aggregation）方式が提案されている（例えば、非特許文献１参照）。例えば、２０ＭＨｚの幅を持つ周波数帯域が通信帯域の基本単位(以下、単位バンド（component band）という)とされている。よって、ＬＴＥ−Ａでは、例えば、２つの単位バンドを連結することにより４０ＭＨｚのシステム帯域幅を実現する。
【０００９】
また、ＬＴＥ−Ａでは、基地局は、各単位バンドのリソース割当情報を、各単位バンドの下り単位バンドを用いて端末に通知することが考えられる（例えば、非特許文献４）。例えば、４０ＭＨｚの広帯域伝送を行う端末（２つの単位バンドを使用する端末）は、２つの単位バンドのリソース割当情報を、各単位バンドの下り単位バンドに配置されたＰＤＣＣＨを受信することにより得る。
【００１０】
また、ＬＴＥ−Ａでは、上り回線および下り回線それぞれにおけるデータ伝送量が互いに独立であることも予想される。例えば、下り回線では広帯域伝送（４０ＭＨｚの通信帯域）を行い、上り回線では狭帯域伝送（２０ＭＨｚの通信帯域）を行う場合があり得る。この場合、端末は、下り回線では２つの下り単位バンドを使用し、上り回線では１つの上り単位バンドのみを使用する。つまり、上り回線と下り回線とで非対称の単位バンドが用いられる（例えば、非特許文献５参照）。この場合、２つの下り単位バンドでそれぞれ送信された下り回線データに対するＡＣＫ／ＮＡＣＫ信号は、いずれも１つの上り単位バンドのＰＵＣＣＨに配置されたＡＣＫ／ＮＡＣＫリソースを用いて基地局へ送信される。
【先行技術文献】
【非特許文献】
【００１１】
【非特許文献１】3GPP TS 36.211 V8.3.0, “Physical Channels and Modulation (Release 8),” May 2008
【非特許文献２】3GPP TS 36.212 V8.3.0, “Multiplexing and channel coding (Release 8),” May 2008
【非特許文献３】3GPP TS 36.213 V8.3.0, “Physical layer procedures (Release 8),” May 2008
【非特許文献４】3GPP TSG RAN WG1 meeting, R1-082468, “Carrier aggregation LTE-Advanced,” July 2008
【非特許文献５】3GPP TSG RAN WG1 meeting, R1-083706, “DL/UL Asymmetric Carrier aggregation,” September 2008
【発明の概要】
【発明が解決しようとする課題】
【００１２】
上記従来技術のように、複数の下り単位バンド、および、複数の下り単位バンドよりも数が少ない上り単位バンドを用いる場合（上り回線と下り回線とで非対称の単位バンドを用いる場合）、上り単位バンドでは、複数の下り単位バンド毎の下り回線データに対するＡＣＫ／ＮＡＣＫ信号を割り当てるためのＰＵＣＣＨ（ＡＣＫ／ＮＡＣＫリソース）を確保する必要がある。このように、すべての下り単位バンド毎のＣＣＥにそれぞれ対応付けられたＰＵＣＣＨ（ＡＣＫ／ＮＡＣＫリソース）を確保すると、上り単位バンドではＰＵＣＣＨに要するリソース量が膨大になる。よって、端末の上り回線データを割り当てる上りリソース（例えば、ＰＵＳＣＨ（Physical Uplink Shared Channel））に確保されるリソース量が少なくなるため、データのスループットが低下してしまう。
【００１３】
そこで、例えば、１つの上り単位バンドに配置されたＰＵＣＣＨ（ＡＣＫ／ＮＡＣＫリソース）を複数の下り単位バンド間で共有すること、つまり、すべての単位バンドで１つのＰＵＣＣＨ（ＡＣＫ／ＮＡＣＫリソース）を確保することが考えられる。具体的には、上り単位バンドでは、下り単位バンド当たりのＣＣＥ数（または、複数の下り単位バンド間で最大のＣＣＥ数）に対応するＰＵＣＣＨを確保する。そして、各下り単位バンドの同一ＣＣＥ番号のＣＣＥが同一のＰＵＣＣＨに対応付けられる。よって、端末は、いずれの下り単位バンドのＣＣＥで割り当てられた下り回線データであるかにかかわらず、そのＣＣＥに対応付けられたＰＵＣＣＨ（ＡＣＫ／ＮＡＣＫリソース）を使用して、下り回線データに対するＡＣＫ／ＮＡＣＫ信号を送信する。
【００１４】
例えば、端末が２つの単位バンド（単位バンド１および単位バンド２）を使用する場合について説明する。下り回線のみで広帯域伝送（例えば、４０ＭＨｚの通信帯域）を行う場合、端末は、例えば、下り回線では、単位バンド１および単位バンド２の双方の下り単位バンドを使用し、上り回線では、単位バンド２の上り単位バンドを使用せずに、単位バンド１の上り単位バンドのみを使用する。また、ここでは、２つの下り単位バンドには、ＬＴＥ端末を収容できるように、同一ＣＣＥ番号が付されたＣＣＥ（例えば、ＣＣＥ＃１，＃２，…）が配置されている。また、上り単位バンドでは、例えば、ＣＣＥ＃１に対応付けられたＰＵＣＣＨ＃１およびＣＣＥ＃２に対応付けられたＰＵＣＣＨ＃２が配置されている。よって、単位バンド１の下り単位バンドおよび単位バンド２の下り単位バンドにそれぞれ配置された同一ＣＣＥ番号のＣＣＥ＃１は、ＰＵＣＣＨ＃１に共通して対応付けられる。同様に、単位バンド１の下り単位バンドおよび単位バンド２の下り単位バンドにそれぞれ配置された同一ＣＣＥ番号のＣＣＥ＃２は、ＰＵＣＣＨ＃２に共通して対応付けられる。これにより、上り単位バンド内の制御チャネルに要するリソース量を増やすことなく、データのスループットの低下を防ぐことができる。また、端末毎に複数のＣＣＥを使用してＰＤＣＣＨを構成する場合があること、または、ＣＣＥを使用して上り回線データの割当情報を含むＰＤＣＣＨを構成する場合があること（すなわち、端末でのＡＣＫ／ＮＡＣＫ信号の送信が不要な場合）を考慮すると、上り単位バンドに配置されたすべてのＰＵＣＣＨが同時に使用される確率は低い。そのため、ＰＵＣＣＨを複数の単位バンド間で共有することにより、ＰＵＣＣＨのリソース使用効率を向上させることができる。
【００１５】
しかしながら、複数の下り単位バンド間で１つの上り単位バンドに配置されたＰＵＣＣＨを共有する方法では、基地局では、ＡＣＫ／ＮＡＣＫ信号の衝突を避けるために、各端末へのＣＣＥの割当に制限が生じる。例えば、単位バンド１の下り単位バンドのＣＣＥ＃１で構成されるＰＤＣＣＨを使用して割り当てられた下り回線データに対するＡＣＫ／ＮＡＣＫ信号は、ＣＣＥ＃１に対応付けられたＰＵＣＣＨ＃１に割り当てられる。よって、単位バンド２の下り単位バンドでは、下り回線データの割当にＣＣＥ＃１が使用されると、ＰＵＣＣＨ＃１において単位バンド１との間で衝突が発生する。このため、基地局は、単位バンド２では、ＣＣＥ＃１を割り当てることができなくなる。さらに、上述したように、端末毎に使用できるＣＣＥ領域（サーチスペース）が設定されるため、各端末宛てのＰＤＣＣＨを割り当てるＣＣＥはさらに限られる。
【００１６】
特に、端末に設定される下り単位バンド数が多くなるほど、基地局における、端末へのＣＣＥ割当の自由度はより低下する。例えば、５個の下り単位バンドおよび１個の上り単位バンドを使用する端末に対して、６個のＣＣＥで構成されるサーチスペースが設定される場合について説明する。１ＣＣＥ単位でＰＤＣＣＨを用いる場合には、その端末宛てのＣＣＥ割当候補は各下り単位バンドのサーチスペース内でそれぞれ６個である。ここで、サーチスペース内の６個のＣＣＥのうち、２個のＣＣＥが他の端末宛てのＰＤＣＣＨに割り当てられた場合、端末に割り当て可能なＣＣＥ（サーチスペース内の残りのＣＣＥ）は４個となる。よって、５個の下り単位バンドすべてにＰＤＣＣＨを割り当てることができなくなる。また、下り単位バンドのＣＣＥには、優先度がより高い報知情報を示す制御チャネル（例えば、ＢＣＨ：Broadcast Channel）が割り当てられる場合があるため、この場合、サーチスペース内の割当可能なＣＣＥの数はさらに減少してしまい、データ送信が制限されてしまう。
【００１７】
本発明の目的は、下り回線のみで広帯域伝送を行う場合でも、複数の単位バンド間でＡＣＫ／ＮＡＣＫ信号が衝突することなく、ＣＣＥの割当を柔軟に行うことができる基地局、端末および変調方法を提供することである。
【課題を解決するための手段】
【００１８】
本発明の端末は、複数の下り単位バンドを使用して通信する無線通信端末装置であって、前記複数の下り単位バンドのサーチスペース内のＣＣＥをブラインド復号して、自装置宛ての下り回線データのリソース割当情報を得る受信手段と、前記複数の下り単位バンドのうち、自装置宛ての前記リソース割当情報が同一ＣＣＥ番号のＣＣＥに割り当てられた複数の特定の下り単位バンドの数に対応した変調多値数の変調方式に基づいて、前記特定の下り単位バンドにおける前記下り回線データに対する応答信号を変調する変調手段と、を具備する構成を採る。
【００１９】
本発明の基地局は、複数の下り単位バンドを使用して通信する無線通信端末装置に対して、前記無線通信端末装置宛ての下り回線データのリソース割当情報を、前記複数の下り単位バンドのうち、複数の特定の下り単位バンドのサーチスペース内の同一ＣＣＥ番号のＣＣＥにそれぞれ割り当てる割当手段と、前記特定の下り単位バンドの数に対応した変調多値数の変調方式に基づいて、前記特定の下り単位バンドにおける下り回線データに対する応答信号を復調する受信手段と、を具備する構成を採る。
【００２０】
本発明の変調方法は、複数の下り単位バンドを使用して通信する無線通信端末装置において、前記複数の下り単位バンドのサーチスペース内のＣＣＥをブラインド復号して、前記無線通信端末装置宛ての下り回線データのリソース割当情報を得て、前記複数の下り単位バンドのうち、前記無線通信端末装置宛ての前記リソース割当情報が同一ＣＣＥ番号のＣＣＥに割り当てられた複数の特定の下り単位バンドの数に対応した変調多値数の変調方式に基づいて、前記特定の下り単位バンドにおける前記下り回線データに対する応答信号を変調するようにする。
【発明の効果】
【００２１】
本発明によれば、下り回線のみで広帯域伝送を行う場合でも、複数の単位バンド間でＡＣＫ／ＮＡＣＫ信号が衝突することなく、ＣＣＥの割当を柔軟に行うことができる。
【図面の簡単な説明】
【００２２】
【図１】本発明の実施の形態１に係る基地局の構成を示すブロック図
【図２】本発明の実施の形態１に係る端末の構成を示すブロック図
【図３】本発明の実施の形態１に係る各ＣＣＥに対応付けられたＰＵＣＣＨのリソースを示す図
【図４】本発明の実施の形態１に係るＡＣＫ／ＮＡＣＫ信号の送信を示す図
【図５】本発明の実施の形態１に係るＡＣＫ／ＮＡＣＫ信号の送信を示す図
【図６】本発明の実施の形態１に係る信号点配置を示す図
【図７】本発明の実施の形態２に係る課題を示す図
【図８】本発明の実施の形態２に係る信号点配置を示す図
【発明を実施するための形態】
【００２３】
以下、本発明の実施の形態について図面を参照して詳細に説明する。なお、実施の形態において、同一の構成要素には同一の符号を付し、その説明は重複するので省略する。
【００２４】
（実施の形態１）
図１は、本実施の形態に係る基地局１００の構成を示すブロック図である。
【００２５】
図１に示す基地局１００において、設定部１０１は、例えば、所要伝送レートやデータ伝送量に従って、端末毎に上り回線および下り回線にそれぞれ使用する１つまたは複数の単位バンドを設定（configure）する。そして、設定部１０１は、各端末に設定した単位バンドを含む設定情報を制御部１０２、ＰＤＣＣＨ生成部１０３および変調部１０６に出力する。
【００２６】
制御部１０２は、端末の上り回線データを割り当てる上りリソース（例えば、ＰＵＳＣＨ）を示す上りリソース割当情報、および、端末宛ての下り回線データを割り当てる下りリソース（例えば、ＰＤＳＣＨ（Physical Downlink Shared Channel））を示す下りリソース割当情報を生成する。そして、制御部１０２は、上りリソース割当情報をＰＤＣＣＨ生成部１０３および抽出部１１６に出力し、下りリソース割当情報をＰＤＣＣＨ生成部１０３および多重部１０８に出力する。ここで、制御部１０２は、設定部１０１から入力される設定情報に基づいて、上りリソース割当情報および下りリソース割当情報を、各端末に設定した下り単位バンドに配置されたＰＤＣＣＨに割り当てる。具体的には、制御部１０２は、下りリソース割当情報を、その下りリソース割当情報に示されるリソース割当対象の下り単位バンドに配置されたＰＤＣＣＨに割り当てる。また、制御部１０２は、上りリソース割当情報を、その上り割当情報に示されるリソース割当対象の上り単位バンドと対応付けられた下り単位バンドに配置されたＰＤＣＣＨに割り当てる。なお、ＰＤＣＣＨは、１つまたは複数のＣＣＥで構成される。
【００２７】
ＰＤＣＣＨ生成部１０３は、制御部１０２から入力される上りリソース割当情報および下りリソース割当情報を含むＰＤＣＣＨ信号を生成する。また、ＰＤＣＣＨ生成部１０３は、上りリソース割当情報および下りリソース割当情報が割り当てられたＰＤＣＣＨ信号にＣＲＣビットを付加し、さらにＣＲＣビットを端末ＩＤでマスキング（または、スクランブリング）する。そして、ＰＤＣＣＨ生成部１０３は、マスキング後のＰＤＣＣＨ信号を、変調部１０４に出力する。
【００２８】
変調部１０４は、ＰＤＣＣＨ生成部１０３から入力されるＰＤＣＣＨ信号をチャネル符号化後に変調して、変調後のＰＤＣＣＨ信号を割当部１０５に出力する。
【００２９】
割当部１０５は、変調部１０４から入力される各端末のＰＤＣＣＨ信号を、各単位バンドの下り単位バンドにおける端末毎のサーチスペース内のＣＣＥにそれぞれ割り当てる。例えば、割当部１０５は、各端末に設定された複数の下り単位バンド毎のサーチスペースを、各端末の端末ＩＤおよびランダム化を行うハッシュ関数を用いて算出されるＣＣＥ番号と、サーチスペースを構成するＣＣＥ数（Ｌ）とから算出する。つまり、割当部１０５は、ある端末の端末ＩＤおよびハッシュ関数を用いて算出される、ＣＣＥ番号をその端末のサーチスペースの開始位置（ＣＣＥ番号）に設定し、その端末のサーチスペースとして、開始位置からＣＣＥ数Ｌだけの連続したＣＣＥまでを設定する。ここで、割当部１０５は、端末毎に設定した複数の下り単位バンド間では、同一のサーチスペース（同一ＣＣＥ番号のＣＣＥで構成されるサーチスペース）を設定する。そして、割当部１０５は、ＣＣＥに割り当てたＰＤＣＣＨ信号を多重部１０８に出力する。また、割当部１０５は、ＰＤＣＣＨ信号（リソース割当情報）が割り当てられたＣＣＥを示す情報をＡＣＫ／ＮＡＣＫ受信部１１９に出力する。なお、割当部１０５におけるＣＣＥ割当処理の詳細については後述する。
【００３０】
変調部１０６は、設定部１０１から入力される設定情報を変調して、変調後の設定情報を多重部１０８に出力する。
【００３１】
変調部１０７は、入力される送信データ（下り回線データ）をチャネル符号化後に変調して、変調後の送信データ信号を多重部１０８に出力する。
【００３２】
多重部１０８は、割当部１０５から入力されるＰＤＣＣＨ信号、変調部１０６から入力される設定情報および変調部１０７から入力されるデータ信号（つまり、ＰＤＳＣＨ信号）を多重する。ここで、多重部１０８は、制御部１０２から入力される下りリソース割当情報に基づいて、ＰＤＣＣＨ信号およびデータ信号（ＰＤＳＣＨ信号）を各下り単位バンドにマッピングする。なお、多重部１０８は、設定情報をＰＤＳＣＨにマッピングしてもよい。そして、多重部１０８は、多重信号をＩＦＦＴ（Inverse Fast Fourier Transform）部１０９に出力する。
【００３３】
ＩＦＦＴ部１０９は、多重部１０８から入力される多重信号を時間波形に変換し、ＣＰ（Cyclic Prefix）付加部１１０は、この時間波形にＣＰを付加することによりＯＦＤＭ信号を得る。
【００３４】
送信ＲＦ部１１１は、ＣＰ付加部１１０から入力されるＯＦＤＭ信号に対して送信無線処理（アップコンバート、ディジタルアナログ（Ｄ／Ａ）変換など）を施し、アンテナ１１２を介して送信する。
【００３５】
一方、受信ＲＦ部１１３は、アンテナ１１２を介して受信帯域で受信した受信無線信号に対して受信無線処理（ダウンコンバート、アナログディジタル（Ａ／Ｄ）変換など）を施し、得られた受信信号をＣＰ除去部１１４に出力する。
【００３６】
ＣＰ除去部１１４は、受信信号からＣＰを除去し、ＦＦＴ（Fast Fourier Transform）部１１５は、ＣＰ除去後の受信信号を周波数領域信号に変換する。
【００３７】
抽出部１１６は、制御部１０２から入力される上りリソース割当情報に基づいて、ＦＦＴ部１１５から入力される周波数領域信号から上り回線データを抽出する。そして、ＩＤＦＴ（Inverse Discrete Fourier transform）部１１７は、抽出信号を時間領域信号に変換し、その時間領域信号をデータ受信部１１８およびＡＣＫ／ＮＡＣＫ受信部１１９に出力する。
【００３８】
データ受信部１１８は、ＩＤＦＴ部１１７から入力される時間領域信号を復号する。そして、データ受信部１１８は、復号後の上り回線データを受信データとして出力する。
【００３９】
ＡＣＫ／ＮＡＣＫ受信部１１９は、ＩＤＦＴ部１１７から入力される時間領域信号のうち、下り回線データ（ＰＤＳＣＨ信号）に対する各端末からのＡＣＫ／ＮＡＣＫ信号を、その下り回線データの割当に使用されたＣＣＥに対応付けられたＰＵＣＣＨから抽出する。そして、ＡＣＫ／ＮＡＣＫ受信部１１９は、抽出したＡＣＫ／ＮＡＣＫ信号のＡＣＫ／ＮＡＣＫ判定を行う。ここで、基地局１００が複数の単位バンドの下り回線データ（ＰＤＳＣＨ信号）の下りリソース割当情報を含むＰＤＣＣＨ信号を、複数の単位バンドの下り単位バンドのＣＣＥに割り当てた場合、ＡＣＫ／ＮＡＣＫ受信部１１９は、それぞれのＣＣＥのＣＣＥ番号に対応付けられたＰＵＣＣＨから、複数のＡＣＫ／ＮＡＣＫ信号を抽出する。
【００４０】
また、割当部１０５が１つの端末宛ての下り回線データのリソース割当情報を複数の特定の下り単位バンドの同一ＣＣＥ番号のＣＣＥに割り当てた場合、ＡＣＫ／ＮＡＣＫ受信部１１９は、同一ＣＣＥ番号のＣＣＥが割り当てられた特定の下り単位バンド数に応じた変調多値数の変調方式に基づいて、特定の下り単位バンドにおける下り回線データに対するＡＣＫ／ＮＡＣＫ信号を復調する。具体的には、ＡＣＫ／ＮＡＣＫ受信部１１９は、下りリソース割当情報がｍ個の下り単位バンドで同一ＣＣＥ番号のＣＣＥに割り当てられた場合、変調多値数２ｍの変調方式（例えば、ｍ＝２の場合（変調多値数：４）はＱＰＳＫ、ｍ＝４の場合は１６ＱＡＭ、ｍ＝６の場合は６４ＱＡＭ）に基づいて、ＡＣＫ／ＮＡＣＫ信号を復調する。これにより、ＡＣＫ／ＮＡＣＫ受信部１１９は、同一ＣＣＥ番号のＣＣＥを使用して割り当てられた、複数の単位バンドの下り回線データに対する各ＡＣＫ／ＮＡＣＫ信号を得る。
【００４１】
図２は、本実施の形態に係る端末２００の構成を示すブロック図である。端末２００は、複数の下り単位バンドを使用してデータ信号（下り回線データ）を受信し、そのデータ信号に対するＡＣＫ／ＮＡＣＫ信号を１つの上り単位バンドのＰＵＣＣＨを用いて基地局１００へ送信する。
【００４２】
図２に示す端末２００において、受信ＲＦ部２０２は、受信帯域を変更可能に構成されており、設定情報受信部２０６から入力される帯域情報に基づいて、受信帯域を変更する。そして、受信ＲＦ部２０２は、アンテナ２０１を介して受信帯域で受信した受信無線信号（ここでは、ＯＦＤＭ信号）に対して受信無線処理（ダウンコンバート、アナログディジタル（Ａ／Ｄ）変換など）を施し、得られた受信信号をＣＰ除去部２０３に出力する。
【００４３】
ＣＰ除去部２０３は、受信信号からＣＰを除去し、ＦＦＴ部２０４はＣＰ除去後の受信信号を周波数領域信号に変換する。この周波数領域信号は、分離部２０５に出力される。
【００４４】
分離部２０５は、ＦＦＴ部２０４から入力される信号を、設定情報を含む上位レイヤの制御信号（例えば、ＲＲＣシグナリング等）とＰＤＣＣＨ信号とデータ信号（つまり、ＰＤＳＣＨ信号）とに分離する。そして、分離部２０５は、制御情報を設定情報受信部２０６に出力し、ＰＤＣＣＨ信号をＰＤＣＣＨ受信部２０７に出力し、ＰＤＳＣＨ信号をＰＤＳＣＨ受信部２０８に出力する。
【００４５】
設定情報受信部２０６は、分離部２０５から入力される制御信号から、自端末に設定された上り単位バンドおよび下り単位バンドを示す情報を読み取り、読み取った情報を帯域情報としてＰＤＣＣＨ受信部２０７、受信ＲＦ部２０２および送信ＲＦ部２１５に出力する。また、設定情報受信部２０６は、分離部２０５から入力される制御信号から、自端末に設定された端末ＩＤを示す情報を読み取り、読み取った情報を端末ＩＤ情報としてＰＤＣＣＨ受信部２０７に出力する。
【００４６】
ＰＤＣＣＨ受信部２０７は、分離部２０５から入力されるＰＤＣＣＨ信号をブラインド復号して、自端末宛てのＰＤＣＣＨ信号（下りリソース割当情報）を得る。ここで、ＰＤＣＣＨ信号は、設定情報受信部２０６から入力される帯域情報に示される、自端末に設定された下り単位バンドに配置されたＣＣＥ（すなわち、ＰＤＣＣＨ）にそれぞれ割り当てられている。具体的には、まず、ＰＤＣＣＨ受信部２０７は、設定情報受信部２０６から入力される端末ＩＤ情報に示される自端末の端末ＩＤを用いて自端末のサーチスペースを算出する。ここで、算出されるサーチスペース（サーチスペースを構成するＣＣＥのＣＣＥ番号）は、自端末に設定された複数の下り単位バンド間ですべて同一である。そして、ＰＤＣＣＨ受信部２０７は、算出したサーチスペース内の各ＣＣＥに割り当てられたＰＤＣＣＨ信号を復調および復号する。そして、ＰＤＣＣＨ受信部２０７は、復号後のＰＤＣＣＨ信号に対して、端末ＩＤ情報に示される自端末の端末ＩＤでＣＲＣビットをデマスキングすることによりＣＲＣ＝ＯＫ（誤り無し）となったＰＤＣＣＨ信号を自端末宛てのＰＤＣＣＨ信号であると判定する。ＰＤＣＣＨ受信部２０７は、ＰＤＣＣＨ信号が送信されている単位バンド毎に上記ブラインド復号を行うことにより、その単位バンドのリソース割当情報を取得する。そして、ＰＤＣＣＨ受信部２０７は、自端末宛てのＰＤＣＣＨ信号に含まれる下りリソース割当情報をＰＤＳＣＨ受信部２０８に出力し、上りリソース割当情報をマッピング部２１２に出力する。また、ＰＤＣＣＨ受信部２０７は、各単位バンドで自端末宛てのＰＤＣＣＨ信号が検出されたＣＣＥ（ＣＲＣ＝ＯＫとなるＣＣＥ）のＣＣＥ番号をマッピング部２１２に出力する。
【００４７】
また、ＰＤＣＣＨ受信部２０７は、自端末に設定された複数の下り単位バンドのうち、自端末宛てのＰＤＣＣＨ信号（下りリソース割当情報）が同一ＣＣＥ番号のＣＣＥに割り当てられた特定の下り単位バンドの数に基づいて、ＡＣＫ／ＮＡＣＫ信号の変調多値数（変調レベル）を算出する。具体的には、自端末に設定された複数の下り単位バンドのうち、自端末宛てのＰＤＣＣＨ信号が同一ＣＣＥ番号のＣＣＥに割り当てられた単位バンド数がｍの場合、ＰＤＣＣＨ受信部２０７は、ＡＣＫ／ＮＡＣＫ信号の変調多値数（変調レベル）を２ｍとする。そして、ＰＤＣＣＨ受信部２０７は、算出した変調多値数２ｍを変調部２０９に出力する。
【００４８】
ＰＤＳＣＨ受信部２０８は、ＰＤＣＣＨ受信部２０７から入力される下りリソース割当情報に基づいて、分離部２０５から入力されるＰＤＳＣＨ信号から受信データ（下り回線データ）を抽出する。また、ＰＤＳＣＨ受信部２０８は、抽出した受信データ（下り回線データ）に対して誤り検出を行う。そして、ＰＤＳＣＨ受信部２０８は、誤り検出の結果、受信データに誤りがある場合にはＡＣＫ／ＮＡＣＫ信号としてＮＡＣＫ信号を生成し、受信データに誤りが無い場合にはＡＣＫ／ＮＡＣＫ信号としてＡＣＫ信号を生成する。そして、ＰＤＳＣＨ受信部２０８は、ＡＣＫ／ＮＡＣＫ信号を変調部２０９に出力する。
【００４９】
変調部２０９は、ＰＤＣＣＨ受信部２０７から入力される変調多値数（２ｍ）の変調方式に基づいて、ＰＤＳＣＨ受信部２０８から入力されるＡＣＫ／ＮＡＣＫ信号を変調する。つまり、変調部２０９は、自端末に設定された複数の下り単位バンドのうち、自端末宛てのＰＤＣＣＨ信号（下りリソース割当情報）が同一ＣＣＥ番号のＣＣＥに割り当てられた特定の下り単位バンドの数に対応した変調多値数の変調方式に基づいて、特定の下り単位バンドにおける下り回線データに対するＡＣＫ／ＮＡＣＫ信号を変調する。これにより、変調部２０９では、特定の下り単位バンドにおける下り回線データに対するそれぞれのＡＣＫ／ＮＡＣＫ信号を含む変調シンボルが得られる。そして、変調部２０９は、変調後のＡＣＫ／ＮＡＣＫ信号をＤＦＴ（Discrete Fourier transform）部２１１に出力する。
【００５０】
変調部２１０は、送信データ（上り回線データ）を変調し、変調後のデータ信号をＤＦＴ部２１１に出力する。
【００５１】
ＤＦＴ部２１１は、変調部２０９から入力されるＡＣＫ／ＮＡＣＫ信号および変調部２１０から入力されるデータ信号を周波数領域に変換し、得られる複数の周波数成分をマッピング部２１２に出力する。
【００５２】
マッピング部２１２は、ＰＤＣＣＨ受信部２０７から入力される上りリソース割当情報に従って、ＤＦＴ部２１１から入力される複数の周波数成分のうち、データ信号に相当する周波数成分を、上り単位バンドに配置されたＰＵＳＣＨにマッピングする。また、マッピング部２１２は、ＰＤＣＣＨ受信部２０７から入力されるＣＣＥ番号に従って、ＤＦＴ部２１１から入力される複数の周波数成分のうち、ＡＣＫ／ＮＡＣＫ信号に相当する周波数成分またはコードリソースを、上り単位バンドに配置されたＰＵＣＣＨにマッピングする。
【００５３】
例えば、図３に示すように、１次拡散系列（ＺＡＣ（Zero Auto Correlation）系列の巡回シフト量）と２次拡散系列（ウォルシュ系列のようなブロックワイズ拡散コード（Block-wise spreading code））とによりＰＵＣＣＨのリソースが定義される。すなわち、マッピング部２１２では、ＡＣＫ／ＮＡＣＫ信号は、ＰＤＣＣＨ受信部２０７から入力されるＣＣＥ番号に対応付けられた１次拡散系列と２次拡散系列とに割り当てられる。また、図３に示すＰＵＣＣＨは、複数の下り単位バンドで共有する。よって、複数の下り単位バンドでＰＤＳＣＨ信号が送信された場合、マッピング部２１２は、各下り単位バンドで送信されたＰＤＳＣＨ信号に対するＡＣＫ／ＮＡＣＫ信号を、そのＰＤＳＣＨ信号の割当に使用されたＣＣＥのＣＣＥ番号に対応付けられたＰＵＣＣＨのリソースにそれぞれ割り当てる。例えば、単位バンド１の下り単位バンドのＣＣＥ＃０を使用して割り当てられたＰＤＳＣＨ信号に対するＡＣＫ／ＮＡＣＫ信号は、図３に示すＣＣＥ＃０に対応するＰＵＣＣＨのリソースに割り当てられる。同様に、例えば、単位バンド２の下り単位バンドのＣＣＥ＃２を使用して割り当てられたＰＤＳＣＨ信号に対するＡＣＫ／ＮＡＣＫ信号は、図３に示すＣＣＥ＃２に対応するＰＵＣＣＨのリソースに割り当てられる。また、例えば、単位バンド１の下り単位バンドのＰＤＳＣＨ信号が単位バンド１のＣＣＥ＃０を使用して割り当てられ、単位バンド２の下り単位バンドのＰＤＳＣＨ信号が単位バンド２のＣＣＥ＃０を使用して割り当てられた場合には、これらに対するＡＣＫ／ＮＡＣＫ信号は図３に示すＣＣＥ＃０に対応するＰＵＣＣＨのリソースに割り当てられる（図示せず）。
【００５４】
なお、変調部２０９、変調部２１０、ＤＦＴ部２１１およびマッピング部２１２は単位バンド毎に設けられてもよい。
【００５５】
ＩＦＦＴ部２１３は、ＰＵＳＣＨにマッピングされた複数の周波数成分を時間領域波形に変換し、ＣＰ付加部２１４は、その時間領域波形にＣＰを付加する。
【００５６】
送信ＲＦ部２１５は、送信帯域を変更可能に構成されており、設定情報受信部２０６から入力される帯域情報に基づいて、送信帯域を設定する。そして、送信ＲＦ部２１５は、ＣＰが付加された信号に送信無線処理（アップコンバート、ディジタルアナログ（Ｄ／Ａ）変換など）を施してアンテナ２０１を介して送信する。
【００５７】
次に、基地局１００および端末２００の動作の詳細について説明する。
【００５８】
以下の説明では、基地局１００の設定部１０１（図１）は、図４および図５に示すように、２つの下り単位バンド（単位バンド１および単位バンド２）および１つの上り単位バンド（単位バンド１）を端末２００に設定する。すなわち、図４および図５に示すように、設定部１０１は、端末２００に対して、単位バンド１では上り単位バンドおよび下り単位バンドの双方を設定する一方、単位バンド２では、上り単位バンドを設定しないで（未設定）、下り単位バンドのみを設定する。すなわち、基地局１００と端末２００とは、２つの下り単位バンド、および、下り単位バンドよりも少ない数の１つの上り単位バンドを使用して通信する。
【００５９】
また、各下り単位バンドに配置されるＰＤＣＣＨは、図４および図５に示すように、複数のＣＣＥ（ＣＣＥ＃１，ＣＣＥ＃２，ＣＣＥ＃３，…）で構成される。また、図４および図５に示すように、単位バンド１および単位バンド２は、単位バンド１の上り単位バンドに配置されたＰＵＣＣＨ（例えば、図３）を共有する。よって、端末２００は、いずれの単位バンドで受信したＰＤＳＣＨ信号であるかにかかわらず、そのＰＤＳＣＨ信号の割当に使用されたＣＣＥに対応付けられた、単位バンド１の上り単位バンドに配置された１つのＰＵＣＣＨのリソース領域を使用してＡＣＫ／ＮＡＣＫ信号を基地局１００へ送信する。
【００６０】
ここで、割当部１０５は、ＡＣＫ／ＮＡＣＫ信号用のＰＵＣＣＨ（ＡＣＫ／ＮＡＣＫリソース）が複数の下り単位バンド間でできるだけ衝突しないように、下りリソース割当情報を含むＰＤＣＣＨ信号をＣＣＥに割り当てる。例えば、図４に示すように、単位バンド１の下りリソース割当情報（つまり、単位バンド１のＰＤＳＣＨの割当を示す情報）を含むＰＤＣＣＨ信号が単位バンド１の下り単位バンドのＣＣＥ＃１に割り当てられている。この場合、割当部１０５は、単位バンド２の下り単位バンドでは、単位バンド２の下りリソース割当情報（つまり、単位バンド２のＰＤＳＣＨの割当を示す情報）を含むＰＤＣＣＨ信号を、ＣＣＥ＃１以外のＣＣＥ（図４では、ＣＣＥ＃２）に割り当てる。一方、単位バンド１の下りリソース割当情報を含むＰＤＣＣＨ信号をＣＣＥに割り当てる場合には、割当部１０５は、単位バンド１の下りリソース割当情報を含むＰＤＣＣＨ信号を、単位バンド２の下り単位バンドで使用されているＣＣＥ＃２以外のＣＣＥに割り当てる。ここで、単位バンド２の上り単位バンド（端末２００では未設定）が設定された他の端末は、基地局１００へのＡＣＫ／ＮＡＣＫ信号の送信に、単位バンド２の上り単位バンドに配置されたＰＵＣＣＨを使用する。すなわち、単位バンド１の上り単位バンドに配置されたＰＵＣＣＨでは端末２００と他の端末との間で衝突が生じない。このため、割当部１０５は、単位バンド２の下り単位バンドでは、他の端末宛ての下りリソース割当情報を含むＰＤＣＣＨ信号を、単位バンド１で使用されているＣＣＥ＃１に割り当ててもよい（図示せず）。
【００６１】
ここで、基地局１００が、図５に示すように、ＰＤＣＣＨ信号を、端末２００に設定した複数の下り単位バンド（図５では単位バンド１および単位バンド２）間で同一ＣＣＥ番号のＣＣＥ（図５ではＣＣＥ＃１）に割り当てたとする。この場合、端末２００は、同一ＣＣＥ番号のＣＣＥが割り当てられた下り単位バンドの数（図５では２個）に応じた変調多値数の変調方式に基づいて、同一ＣＣＥ番号のＣＣＥを使用して送信された複数の下り回線データに対するＡＣＫ／ＮＡＣＫ信号を変調する。また、端末２００は、変調後のＡＣＫ／ＮＡＣＫ信号を、そのＣＣＥ番号のＣＣＥ（複数の下り単位バンドに割り当てられたＣＣＥ）に対応付けられたＰＵＣＣＨを使用して送信する。つまり、端末２００は、同一ＣＣＥ番号のＣＣＥを使用して送信された複数の下り回線データに対する複数のＡＣＫ／ＮＡＣＫ信号を含む変調シンボルを、そのＣＣＥに対応付けられたＰＵＣＣＨにマッピングする。
【００６２】
以下、基地局１００が、端末２００に設定した複数の単位バンドにおけるＰＤＣＣＨ信号を、複数の単位バンド間で同一ＣＣＥ番号のＣＣＥに割り当てる場合について具体的に説明する。
【００６３】
基地局１００の割当部１０５（図１）は、端末２００に設定された複数の下り単位バンドのうち、最大ｌｏｇ２（Ｍ）個の下り単位バンドの同一ＣＣＥ番号のＣＣＥに、各下り単位バンドのＰＤＣＣＨ信号をそれぞれ割り当てる。ここで、Ｍは、ＡＣＫ／ＮＡＣＫ信号の変調多値数の最大値である。
【００６４】
ここで、変調多値数の最大値Ｍは、端末毎に異なってもよい。例えば、セル中心付近に位置する端末が高い変調多値数でＡＣＫ／ＮＡＣＫ信号を送信する場合には、基地局１００では十分な受信品質でＡＣＫ／ＮＡＣＫ信号が受信される。このため、セル中心付近に位置する端末に対する変調多値数の最大値Ｍを高くしてもよい。一方、セルエッジ付近に位置する端末が高い変調多値数でＡＣＫ／ＮＡＣＫ信号を送信する場合には、基地局１００では十分な受信品質でＡＣＫ／ＮＡＣＫ信号が受信されない。このため、セルエッジ付近に位置する端末に対する変調多値数の最大値Ｍを低くしてもよい。
【００６５】
ただし、例えば、２つのＡＣＫ／ＮＡＣＫ信号（１ビット×２個）が送信される際には、ＢＰＳＫ変調された２つのＡＣＫ／ＮＡＣＫ信号（つまり、２つの変調シンボル）を２つのＰＵＣＣＨを用いて送信（すなわち、マルチコード送信）するよりも、ＱＰＳＫ変調された２つのＡＣＫ／ＮＡＣＫ信号（つまり、１つの変調シンボル）を１つのＰＵＣＣＨを用いて送信する方がＰＡＰＲ（Peak to Average Power Ratio）値またはＣＭ（Cubic Metric）値はより低くなる。つまり、ＱＰＳＫ変調では、ＢＰＳＫ変調よりも低いＰＡＰＲ値またはＣＭ値でＡＣＫ／ＮＡＣＫ信号が送信される。つまり、ＱＰＳＫ変調では、ＢＰＳＫ変調よりも最大送信電力を高くすることができる。
【００６６】
そこで、基地局１００は、セルエッジ付近に位置する端末に対して、ＱＰＳＫとなる変調多値数（つまり、変調多値数：４）を、特定の下り単位バンドの数に対応した変調多値数の上限としてもよい。つまり、割当部１０５は、セルエッジ付近に位置する端末に対して、最大２（＝ｌｏｇ２（４））個の下り単位バンド間で同一ＣＣＥ番号のＣＣＥにＰＤＣＣＨ信号を割り当てる。そして、セルエッジ付近に位置する端末の変調部２０９は、ＱＰＳＫとなる変調多値数（つまり、変調多値数：４）を、特定の下り単位バンドの数に対応した変調多値数の上限として、自端末が送信するＡＣＫ／ＮＡＣＫ信号を変調する。さらに、端末２００の電力制御部（図示せず）は、変調部２０９がＢＰＳＫを用いてＡＣＫ／ＮＡＣＫ信号を変調する場合のＡＣＫ／ＮＡＣＫ信号の送信電力よりも、変調部２０９がＱＰＳＫを用いてＡＣＫ／ＮＡＣＫ信号を変調する場合のＡＣＫ／ＮＡＣＫ信号の送信電力をより大きくする。これにより、基地局１００におけるＡＣＫ／ＮＡＣＫ信号の受信品質を向上させることができる。
【００６７】
次に、図５に示すように、基地局１００の割当部１０５が、２（＝ｌｏｇ２（４））個の下り単位バンド（単位バンド１および単位バンド２）の同一ＣＣＥ番号のＣＣＥ＃１にＰＤＣＣＨ信号（下りリソース割当情報）を割り当てた場合について説明する。
【００６８】
端末２００のＰＤＣＣＨ受信部２０７は、図５に示す単位バンド１および単位バンド２のサーチスペース（図示せず）内のＣＣＥに対してブラインド復号して、単位バンド１および単位バンド２の双方のＣＣＥ＃１に自端末宛ての下りリソース情報が割り当てられていることを特定する。つまり、ＰＤＣＣＨ信号（下りリソース割当情報）が同一ＣＣＥ番号のＣＣＥ（図５ではＣＣＥ＃１）に割り当てられた単位バンド（単位バンド１および単位バンド２）の数は２個である。よって、ＰＤＣＣＨ受信部２０７は、双方の下り単位バンドのＣＣＥ＃１を使用して割り当てられた下り回線データ（ＰＤＳＣＨ信号）に対するＡＣＫ／ＮＡＣＫ信号の変調多値数２ｍとして、４（＝２２）を算出する。
【００６９】
そして、変調部２０９は、変調多値数２ｍ＝４の変調方式であるＱＰＳＫに基づいて、単位バンド１のＣＣＥ＃１を使用して割り当てられた下り回線データに対するＡＣＫ／ＮＡＣＫ信号（１ビット）、および、単位バンド２のＣＣＥ＃１を使用して割り当てられた下り回線データに対するＡＣＫ／ＮＡＣＫ信号（１ビット）を変調する。具体的には、図６に示すように、変調部２０９は、単位バンド１および単位バンド２の２個のＡＣＫ／ＮＡＣＫ信号（１ビット×２個）を、ＩＱ平面上の複数の信号点のいずれかに配置することにより、ＡＣＫ／ＮＡＣＫ信号をＱＰＳＫ変調する。図６では、単位バンド１のＡＣＫ／ＮＡＣＫ信号がＱＰＳＫの各信号点の１ビット目（上位ビット）に配置され、単位バンド２のＡＣＫ／ＮＡＣＫ信号がＱＰＳＫの各信号点の２ビット目（下位ビット）に配置される。また、図６では、‘１’がＡＣＫを示し、‘０’がＮＡＣＫを示す。
【００７０】
よって、例えば、単位バンド１のＡＣＫ／ＮＡＣＫ信号が‘１’（ＡＣＫ）であり、単位バンド２のＡＣＫ／ＮＡＣＫ信号が‘１’（ＡＣＫ）である場合、変調部２０９は、２つのＡＣＫ／ＮＡＣＫ信号をＱＰＳＫ信号として、図６に示す信号点‘１１’に配置する。同様に、単位バンド１のＡＣＫ／ＮＡＣＫ信号が‘０’（ＮＡＣＫ）であり、単位バンド２のＡＣＫ／ＮＡＣＫ信号が‘１’（ＡＣＫ）である場合、変調部２０９は、２つのＡＣＫ／ＮＡＣＫ信号をＱＰＳＫ信号として、図６に示す信号点‘０１’に配置する。信号点‘００’および‘１０’についても同様である。
【００７１】
そして、マッピング部２１２は、図５に示すように、単位バンド１および単位バンド２双方のＡＣＫ／ＮＡＣＫ信号を含む１つの変調シンボルを、ＣＣＥ＃１に対応付けられたＰＵＣＣＨにマッピングする。
【００７２】
一方、基地局１００のＡＣＫ／ＮＡＣＫ受信部１１９は、変調多値数２ｍ＝４（ＱＰＳＫ）の変調方式であるＱＰＳＫに基づいて、ＡＣＫ／ＮＡＣＫ信号を復調することにより、単位バンド１のＡＣＫ／ＮＡＣＫ信号（図６に示す信号点の１ビット目）および単位バンド２のＡＣＫ／ＮＡＣＫ信号（図６に示す信号点の２ビット目）をそれぞれ抽出する。
【００７３】
このように、端末２００は、自端末に設定された複数の下り単位バンドにおいて同一ＣＣＥ番号のＣＣＥにＰＤＣＣＨ信号（下りリソース割当情報）が割り当てられた場合、つまり、複数の単位バンドにおいて同一ＰＵＣＣＨに対応付けられたＣＣＥが使用される場合、ＡＣＫ／ＮＡＣＫ信号の変調多値数を増加させる。これにより、端末２００は、同一ＣＣＥ番号のＣＣＥを使用した単位バンドで受信した下り回線データに対する各ＡＣＫ／ＮＡＣＫ信号を含む変調シンボルを生成する。つまり、端末２００は同一ＰＵＣＣＨを使用して複数の単位バンドのＡＣＫ／ＮＡＣＫ信号を送信することができる。このため、端末２００では、単位バンド１および単位バンド２の双方で同一ＣＣＥ番号のＣＣＥにＰＤＣＣＨ信号を割り当てても、単位バンド１と単位バンド２との間では、ＡＣＫ／ＮＡＣＫ信号の衝突は発生しない。
【００７４】
例えば、優先度が端末２００よりも高い他の端末へのＣＣＥ割当、または、優先度がより高い報知情報（例えば、ＢＣＨ）へのＣＣＥ割当により、端末２００に設定された複数の下り単位バンド間において、同一ＣＣＥ番号のＣＣＥ（同一ＰＵＣＣＨに対応付けられたＣＣＥ）しか残らない場合があり得る。しかし、上述したように、端末２００は、同一ＣＣＥ番号のＣＣＥを使用して割り当てられた、複数の単位バンドの下り回線データに対する各ＡＣＫ／ＮＡＣＫ信号を、同一ＰＵＣＣＨを用いて基地局１００へ送信することができる。
【００７５】
このため、基地局１００は、端末２００に設定した互いに異なる単位バンド間でのＣＣＥ割当による制限を受けることなく、各下り単位バンドにおいてＣＣＥ割当を柔軟に行うことができる。つまり、基地局１００では、ＰＤＣＣＨ信号をＣＣＥに割り当てられないことによりデータ送信が制限される可能性を低減することができる。
【００７６】
このように、本実施の形態によれば、端末は、互いに異なる単位バンドの下り単位バンドの同一ＣＣＥ番号のＣＣＥを使用して割り当てられたＰＤＳＣＨ信号（下り回線データ）に対するＡＣＫ／ＮＡＣＫ信号を、同一ＣＣＥ番号のＣＣＥを使用した下り単位バンドの数に応じた変調多値数の変調方式に基づいて変調する。これにより、端末は、複数の下り単位バンドの同一ＣＣＥ番号のＣＣＥを使用して割り当てられたＰＤＳＣＨ信号（下り回線データ）に対するＡＣＫ／ＮＡＣＫ信号を、同一ＰＵＣＣＨにマッピングすることができる。よって、下り回線のみで広帯域伝送を行う場合、つまり、上り回線で狭帯域伝送を行う場合でも、基地局は、単位バンド間でのＡＣＫ／ＮＡＣＫ信号の衝突を発生させることなく、リソース割当情報を含むＰＤＣＣＨ信号をＣＣＥに割り当てることができる。よって、本設定方法によれば、下り回線のみで広帯域伝送を行う場合でも、複数の単位バンド間でＡＣＫ／ＮＡＣＫ信号が衝突することなく、ＣＣＥの割当を柔軟に行うことができる。
【００７７】
また、本実施の形態では、ＡＣＫ／ＮＡＣＫ信号に設定される変調多値数の上限をＱＰＳＫに制限した。これにより、より高い変調多値数でＡＣＫ／ＮＡＣＫ信号が送信されること、つまり、信号点間距離の不均等性から受信品質が劣化することを防げるため、ＡＣＫ／ＮＡＣＫ信号の誤り率を低減することができる（つまり、ＡＣＫ／ＮＡＣＫ信号伝送の信頼度を向上させることができる）。
【００７８】
また、本実施の形態によれば、セルエッジ付近に位置する端末に対して、ＱＰＳＫとなる変調多値数を、複数の下り単位バンドの同一ＣＣＥ番号のＣＣＥを使用して割り当てられた下り回線データに対するＡＣＫ／ＮＡＣＫ信号の変調多値数の上限とする。これにより、セルエッジ付近に位置する端末は、同一ＣＣＥ番号のＣＣＥを使用して割り当てられた下り回線データに対するＡＣＫ／ＮＡＣＫ信号を、１シンボルで送信できる。つまり、セルエッジ付近に位置する端末は、マルチコード送信を避けることができるため、低ＰＡＰＲ値または低ＣＭでＡＣＫ／ＮＡＣＫ信号を送信することができる。
【００７９】
なお、本実施の形態において、変調多値数の最大値Ｍは基地局１００から各端末へ予め通知されてもよい。これにより、各端末では、ｌｏｇ２（Ｍ）個より多い数の単位バンド間で同一ＣＣＥ番号のＣＣＥにＰＤＣＣＨ信号が割り当てられた場合には、単位バンドに割り当てられたＰＤＣＣＨ信号のいずれかが受信誤りであると判断することができる。よって、各端末は、ＡＣＫ／ＮＡＣＫ信号の基地局１００への送信を停止することができる。
【００８０】
また、変調多値数の最大値Ｍをセル毎に設定してもよい。そして、基地局１００は、自局のセル内に位置する端末に、自局のセルで設定したＭを通知してもよい。
【００８１】
（実施の形態２）
例えば、基地局が、ＰＤＣＣＨ信号を、単位バンド１および単位バンド２の同一ＣＣＥ番号のＣＣＥに割り当て、１つの端末に対して送信し、その端末が単位バンド１のＰＤＣＣＨ信号を受信できなかった場合（つまり、端末が単位バンド２のＰＤＣＣＨ信号のみを受信した場合）について説明する。
【００８２】
この場合、端末は、２つの単位バンドで同一ＣＣＥ番号のＣＣＥが使用されていないと判断する。よって、端末は、図７に示すように、単位バンド２のＰＤＣＣＨ信号で割り当てられた下り回線データに対するＡＣＫ／ＮＡＣＫ信号を、ＢＰＳＫの信号点（図７に示す‘×’印の‘０’または‘１’）に配置して基地局へ送信する。
【００８３】
しかし、基地局は、同一ＣＣＥ番号のＣＣＥを２つの下り単位バンドで使用したため、実施の形態１と同様にして、変調多値数４（＝２２）のＱＰＳＫの信号点（図７に示す‘＋’印の‘００’〜‘１１’）に基づいて、ＡＣＫ／ＮＡＣＫ信号を受信する。つまり、基地局は、図７に示すＱ軸を判定軸として単位バンド１のＡＣＫ／ＮＡＣＫ信号の判定を行い、図７に示すＩ軸を判定軸として単位バンド２のＡＣＫ／ＮＡＣＫ信号の判定を行う。
【００８４】
例えば、図７において、端末が単位バンド２のＡＣＫ／ＮＡＣＫ信号として‘１’（ＡＣＫ）をＢＰＳＫ信号で送信する（すなわち、Ｉ軸上の‘１’に配置する）場合を一例として説明する。基地局は、ＱＰＳＫの信号点に基づいてＡＣＫ／ＮＡＣＫ信号の判定をするため、チャネル推定誤差またはノイズの影響が少ない場合には、受信したＡＣＫ／ＮＡＣＫ信号を、単位バンド１の‘１：ＡＣＫ’と判定（判定軸：Ｑ軸）する。また、基地局は、受信したＡＣＫ／ＮＡＣＫ信号がＩ軸上に配置されているため、単位バンド２では端末からのＡＣＫ／ＮＡＣＫ信号が送信されないＤＴＸ（Discontinuous Transmission）として判定（判定軸：Ｉ軸）する。
【００８５】
つまり、端末が単位バンド１の下り回線データを受信していないにもかかわらず、基地局は単位バンド１では端末が下り回線データの受信に成功した（ＡＣＫ）と判断する。また、端末が単位バンド２の下り回線データを正常に受信したにもかかわらず、基地局は単位バンド２では端末が下り回線データを正常に受信していないと判断し、再送データを再送する。このように、基地局がある単位バンドのＰＤＣＣＨ信号を送信したにもかかわらず、端末がその単位バンドのＰＤＣＣＨを受信できなかった場合には、基地局はＡＣＫ／ＮＡＣＫ判定を正確にできず、結果としてデータスループットが低下してしまう。
【００８６】
そこで、本実施の形態では、端末２００の変調部２０９は、ＢＰＳＫを用いる場合、複数の下り単位バンドのうち、バンド番号が奇数である下り単位バンドのＡＣＫ／ＮＡＣＫ信号をＩ軸上の信号点に配置し、バンド番号が偶数である下り単位バンドのＡＣＫ／ＮＡＣＫ信号をＱ軸上の信号点に配置する。つまり、変調部２０９は、複数の下り単位バンドのバンド番号にそれぞれ対応付けられた信号点を用いて、各下り単位バンドのＡＣＫ／ＮＡＣＫ信号を変調する。
【００８７】
以下、具体的に説明する。ここでは、ＡＣＫ／ＮＡＣＫ信号の変調多値数の上限を４（つまり、ＱＰＳＫ）とする。
【００８８】
本実施の形態に係る基地局１００の割当部１０５（図１）は、端末２００に設定された複数の下り単位バンドにおいて、各下り単位バンドから送信するＰＤＣＣＨ信号を、最大２（＝ｌｏｇ２（４））個の下り単位バンドで同一ＣＣＥ番号のＣＣＥにそれぞれ割り当てる。
【００８９】
ＡＣＫ／ＮＡＣＫ受信部１１９は、実施の形態１と同様、変調多値数２ｍの変調方式に基づいて、ＡＣＫ／ＮＡＣＫ信号を復調する。ただし、ＡＣＫ／ＮＡＣＫ受信部１１９は、例えば、奇数番号の単位バンドのＣＣＥを使用して割り当てられた下り回線データに対するＡＣＫ／ＮＡＣＫ信号を、そのＣＣＥに対応付けられたＰＵＣＣＨのＩ軸でのビット判定（つまり、Ｑ軸を判定軸とするビット判定）により復調する。一方、ＡＣＫ／ＮＡＣＫ受信部１１９は、例えば、偶数番号の単位バンドのＣＣＥを使用して割り当てられた下り回線データに対するＡＣＫ／ＮＡＣＫ信号を、そのＣＣＥに対応付けられたＰＵＣＣＨのＱ軸でのビット判定（つまり、Ｉ軸を判定軸とするビット判定）により復調する。
【００９０】
一方、本実施の形態に係る端末２００の変調部２０９は、ＢＰＳＫを用いる場合（複数の下り単位バンド間の同一ＣＣＥ番号のＣＣＥが使用されていない場合）、奇数番号の単位バンドのＣＣＥを使用して割り当てられた下り回線データに対するＡＣＫ／ＮＡＣＫ信号をＩ軸上に配置し、偶数番号の単位バンドのＣＣＥを使用して割り当てられた下り回線データに対するＡＣＫ／ＮＡＣＫ信号をＱ軸上に配置する。つまり、変調部２０９では、単位バンドの番号（奇数番号および偶数番号）と、Ｉ軸およびＱ軸とが予め対応付けられており、単位バンドにより使用する軸（Ｉ軸またはＱ軸）が異なる。
【００９１】
例えば、図８に示すＩＱ平面において、変調部２０９は、奇数番号の単位バンドである単位バンド１のＡＣＫ／ＮＡＣＫ信号を、Ｉ軸上の信号点（‘０’または‘１’）に配置することにより、ＢＰＳＫ信号として送信する。同様に、変調部２０９は、図８に示すように、偶数番号の単位バンドである単位バンド２のＡＣＫ／ＮＡＣＫ信号を、Ｑ軸上の信号点（‘０’または‘１’）に配置することにより、ＢＰＳＫ信号として送信する。
【００９２】
また、複数の下り単位バンド間の同一ＣＣＥ番号のＣＣＥが使用された場合、変調部２０９は、実施の形態１と同様にして、そのＣＣＥを使用して割り当てられた下り回線データに対するＡＣＫ／ＮＡＣＫ信号をＱＰＳＫに基づいて変調する。つまり、図８に示すように、奇数番号の単位バンドのＡＣＫ／ＮＡＣＫ信号と偶数番号の単位バンドのＡＣＫ／ＮＡＣＫ信号とがＩ軸およびＱ軸で多重されたＱＰＳＫ信号（図８に示す‘＋’印の信号点）が送信される。ここで、基地局１００は、奇数番号（または偶数番号）の単位バンド間で、同一ＣＣＥ番号のＣＣＥを使用しないように、ＣＣＥ割当をスケジューリングしてもよい。
【００９３】
次に、基地局１００が単位バンド１および単位バンド２の双方で同一ＣＣＥ番号のＣＣＥにＰＤＣＣＨ信号を割り当て、端末２００が単位バンド１のＰＤＣＣＨ信号を受信できなかった場合（つまり、端末が単位バンド２のＰＤＣＣＨ信号のみを受信した場合）について説明する。ここでは、図８において、図７と同様、端末２００が単位バンド２のＡＣＫ／ＮＡＣＫ信号として‘１’（ＡＣＫ）をＢＰＳＫ信号で送信する場合を一例として説明する。
【００９４】
端末２００の変調部２０９は、単位バンド２の下り回線データに対するＡＣＫ／ＮＡＣＫ信号（‘１’（ＡＣＫ））を、単位バンド２、すなわち、偶数番号の単位バンドに対応付けられたＱ軸上の信号点‘１’に配置する。
【００９５】
そして、基地局１００のＡＣＫ／ＮＡＣＫ受信部１１９は、Ｑ軸でのビット判定、つまり、Ｉ軸を判定軸とするビット判定により、単位バンド２のＡＣＫ／ＮＡＣＫ信号の判定を行う。よって、図８に示すように、ＡＣＫ／ＮＡＣＫ受信部１１９は、受信したＡＣＫ／ＮＡＣＫ信号（Ｑ軸上の‘１’）を単位バンド２のＡＣＫと判定する。また、ＡＣＫ／ＮＡＣＫ受信部１１９は、Ｉ軸でのビット判定、つまり、Ｑ軸を判定軸とするビット判定により、単位バンド１のＡＣＫ／ＮＡＣＫ信号の判定を行う。よって、図８に示すように、ＡＣＫ／ＮＡＣＫ受信部１１９は、受信したＡＣＫ／ＮＡＣＫ信号がＱ軸上に配置されているため、単位バンド１はＤＴＸであると判定し、単位バンド１の下り回線データを再送する。
【００９６】
このようにして、本実施の形態では、単位バンド毎にＡＣＫ／ＮＡＣＫ信号のビット判定を行う軸としてＩ軸またはＱ軸が対応付けられる。このため、基地局では、Ｉ軸およびＱ軸でそれぞれ独立にＡＣＫ／ＮＡＣＫ信号を判定することができる。よって、基地局が複数の単位バンドにおいて同一ＣＣＥ番号のＣＣＥに割り当てたＰＤＣＣＨ信号を送信したにもかかわらず、端末が一方の単位バンドのＰＤＣＣＨ信号を受信できなかった場合でも、基地局は、Ｉ軸またはＱ軸に対応付けられた単位バンド毎のＡＣＫ／ＮＡＣＫ信号を正確に判定できる可能性が高くなる。また、基地局は、端末でＰＤＣＣＨ信号を受信できなかった単位バンドでは、ＤＴＸ（すなわち、端末がＡＣＫ／ＮＡＣＫ信号を送信していない）と判定できる可能性が高くなる。よって、本実施の形態によれば、実施の形態１と同様の効果を得つつ、さらに、端末が一部のＰＤＣＣＨ信号を受信できない場合でも、各単位バンドのＡＣＫ／ＮＡＣＫ信号の判定を正確に行うことができる。
【００９７】
なお、本実施の形態において、単位バンドとＩＱ軸との対応付けは基地局１００から各端末へ予め通知してもよい。
【００９８】
また、本実施の形態では、端末２００の変調部２０９が、ＢＰＳＫを用いる場合、奇数番号の単位バンドのＡＣＫ／ＮＡＣＫ信号をＩ軸上に配置し、偶数番号の単位バンドのＡＣＫ／ＮＡＣＫ信号をＱ軸上に配置する場合について説明した。しかし、本発明では、変調部２０９が、ＢＰＳＫを用いる場合、偶数番号の単位バンドのＡＣＫ／ＮＡＣＫ信号をＩ軸上に配置し、奇数番号の単位バンドのＡＣＫ／ＮＡＣＫ信号をＱ軸上に配置してもよい。また、本発明では、ＡＣＫ／ＮＡＣＫ信号を配置する軸は、ＩＱ軸に限らず、例えば、ＩＱ軸を４５度回転させた軸を用いてもよい。
【００９９】
また、本実施の形態では、基地局１００が、ＩＱ軸を判定軸として各単位バンドのＡＣＫ／ＮＡＣＫ信号の判定する場合について説明した。しかし、本発明では、判定軸はＩＱ軸に限らず、例えば、基地局１００は、ＩＱ軸を４５度回転させた軸を判定軸として各単位バンドのＡＣＫ／ＮＡＣＫ信号の判定を行ってもよい。
【０１００】
以上、本発明の各実施の形態について説明した。
【０１０１】
なお、上記実施の形態では、１つのＰＤＣＣＨが占有するＣＣＥ数（ＣＣＥ連結数：CCE aggregation level）が、１つまたは複数のいずれの場合でも、本発明を適用することができる。また、１つのＰＤＣＣＨが占有するＣＣＥ連結数毎にサーチスペースを算出し、サーチスペースを構成するＣＣＥ数Ｌは、ＣＣＥ連結数に応じて異ならせてもよい。
【０１０２】
また、上記実施の形態では、奇数番号の単位バンドおよび偶数番号の単位バンドがＩＱ軸にそれぞれ対応付けられる場合について説明した。しかし、本発明では、ＩＱ軸にそれぞれ対応付ける単位バンドとして、優先度が高いＡｎｃｈｏｒバンド、および、Ａｎｃｈｏｒバンド以外の単位バンドをそれぞれ用いてもよい。
【０１０３】
また、上記実施の形態では、基地局が、端末に設定される複数の下り単位バンド間で同一のサーチスペース（すなわち、同一ＣＣＥ番号のＣＣＥから構成されるサーチスペース）を設定する場合について説明した。しかし、本発明では、基地局は、端末に設定される複数の下り単位バンド毎に互いに異なるサーチスペースを設定してもよい。この場合、基地局は、複数の下り単位バンドのサーチスペース間で重複するＣＣＥに対してのみ、複数の下り単位バンド間で同一ＣＣＥ番号のＣＣＥの割当が可能となり、上記実施の形態を適用することができる。
【０１０４】
また、上記実施の形態で説明したＣＣＥは論理的なリソースであり、ＣＣＥを実際の物理的な時間・周波数リソースへ配置する際には、ＣＣＥは単位バンド内の全帯域に渡って分散して配置される。また、論理的なリソースとしてのＣＣＥが単位バンド毎に分割されてさえいれば、実際の物理的な時間・周波数リソースへのＣＣＥの配置は、全システム帯域（つまり全単位バンド）に渡って分散した配置でもよい。
【０１０５】
また、本実施の形態では、１つの単位バンドのＰＤＳＣＨに対して１つのＡＣＫ／ＮＡＣＫ信号が送信される場合を説明した。しかし、本発明では、ＭＩＭＯ（Multiple-Input Multiple Output）による空間多重送信時など、１つの単位バンドのＰＤＳＣＨに対して複数のＡＣＫ／ＮＡＣＫ信号が送信される場合には、同一ＣＣＥ番号のＣＣＥが割り当てられた単位バンドの合計のＡＣＫ／ＮＡＣＫ数に対応した変調多値数で送信することにより、同様の効果が得られる。
【０１０６】
また、本発明では、端末ＩＤとしてＣ−ＲＮＴＩ（Cell-Radio Network Temporary Identifier）を用いてもよい。
【０１０７】
本発明において、マスキング（スクランブリング）処理は、ビット間（すなわち、ＣＲＣビットと端末ＩＤ）の乗算でもよく、ビット同士を加算し、加算結果のｍｏｄ２（すなわち、加算結果を２で割ったときの余り）を算出してもよい。
【０１０８】
また、上記実施の形態では、単位バンドを、最大２０ＭＨｚの幅を持つ帯域であって、通信帯域の基本単位として定義する場合について説明した。しかし、単位バンドは、次のように定義されることもある。例えば、下り単位バンドは、基地局から報知されるＢＣＨ（Broadcast Channel）の中の下り周波数帯域情報によって区切られた帯域、または、ＰＤＣＣＨが周波数領域に分散配置される場合の分散幅によって定義される帯域、または、中心部分でＳＣＨ（synchronization channel）が送信される帯域として定義されることもある。また、上り単位バンドは、基地局から報知されるＢＣＨの中の上り周波数帯域情報によって区切られた帯域、または、中心付近にＰＵＳＣＨを含み、両端部にＰＵＣＣＨ（Physical Uplink Control Channel）を含む２０ＭＨｚ以下の通信帯域の基本単位として定義されることもある。
【０１０９】
また、上記実施の形態では、単位バンドの通信帯域幅を２０ＭＨｚとする場合について説明したが、単位バンドの通信帯域幅は２０ＭＨｚに限定されない。
【０１１０】
また、バンドアグリゲーション（Band aggregation）は、キャリアアグリゲーション（Carrier aggregation）と呼ばれることもある。また、単位バンドは、ＬＴＥにおいて、単位キャリア（Component carrier(s)）と呼ばれることもある。また、バンドアグリゲーションは、連続する周波数帯域を連結する場合に限らず、非連続な周波数帯域を連結してもよい。
【０１１１】
また、基地局が端末毎に設定する１つまたは複数の上り回線の単位バンドはUE UL component carrier setと呼ばれ、下り回線の単位バンドはUE DL component carrier setと呼ばれることもある。
【０１１２】
また、端末はＵＥ、基地局はNode BまたはBS（Base Station）と呼ばれることもある。また、端末ＩＤはＵＥ−ＩＤと呼ばれることもある。
【０１１３】
また、上記実施の形態では、本発明をハードウェアで構成する場合を例にとって説明したが、本発明はソフトウェアで実現することも可能である。
【０１１４】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１１５】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１１６】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１１７】
２００８年１０月３１日出願の特願２００８−２８１３９１の日本出願に含まれる明細書、図面および要約書の開示内容は、すべて本願に援用される。
【産業上の利用可能性】
【０１１８】
本発明は、移動体通信システム等に適用することができる。
【手続補正２】
【補正対象書類名】特許請求の範囲
【補正対象項目名】全文
【補正方法】変更
【補正の内容】
【特許請求の範囲】
【請求項１】
複数の下り単位バンドに配置された、自装置宛ての下り回線データのリソース割当情報を受信する受信手段と、
前記複数の下り単位バンドにおいて前記リソース割当情報が配置されたＣＣＥのＣＣＥ番号に対応した、１つの上り単位バンドにおける上り回線のリソースを用いて、前記下り回線データに対する応答信号を送信する送信手段と、
を具備する無線通信端末装置。
【請求項２】
前記複数の下り単位バンドにおける同一のＣＣＥ番号に、前記１つの上り単位バンドにおける、同一の前記上り回線のリソースが対応付けられている、
請求項１記載の無線通信端末装置。
【請求項３】
前記送信手段は、さらに、前記複数の下り単位バンドのうち、自装置宛ての前記リソース割当情報が同一ＣＣＥ番号のＣＣＥに割り当てられた複数の特定の下り単位バンドの数に対応した変調多値数の変調方式に基づいて、前記特定の下り単位バンドにおける前記下り回線データに対する応答信号を変調する、
請求項１又は２に記載の無線通信端末装置。
【請求項４】
前記送信手段は、前記特定の下り単位バンドの数ｍに対応した変調多値数２ｍに基づいて、前記応答信号を変調する、
請求項３記載の無線通信端末装置。
【請求項５】
前記送信手段は、ＱＰＳＫとなる変調多値数を、前記特定の下り単位バンドの数に対応した変調多値数の上限とする、
請求項３又は４に記載の無線通信端末装置。
【請求項６】
前記送信手段がＢＰＳＫを用いる場合の前記応答信号の送信電力よりも、前記送信手段がＱＰＳＫを用いる場合の前記応答信号の送信電力をより大きくする制御手段、をさらに具備する、
請求項１から５のいずれかに記載の無線通信端末装置。
【請求項７】
前記送信手段は、前記複数の下り単位バンドのバンド番号にそれぞれ対応付けられた信号点を用いて、前記応答信号を変調する、
請求項１から６のいずれかに記載の無線通信端末装置。
【請求項８】
前記送信手段は、ＢＰＳＫを用いる場合、前記複数の下り単位バンドのうち、バンド番号が奇数である下り単位バンドの前記応答信号をＩ軸上の信号点に配置し、バンド番号が偶数である下り単位バンドの前記応答信号をＱ軸上の信号点に配置する、
請求項１から７のいずれかに記載の無線通信端末装置。
【請求項９】
前記送信手段は、ＢＰＳＫを用いる場合、前記複数の下り単位バンドのうち、バンド番号が偶数である下り単位バンドの前記応答信号をＩ軸上の信号点に配置し、バンド番号が奇数である下り単位バンドの前記応答信号をＱ軸上の信号点に配置する、
請求項１から７のいずれかに記載の無線通信端末装置。
【請求項１０】
無線通信端末装置宛ての下り回線データのリソース割当情報を、複数の下り単位バンドにおけるＣＣＥにそれぞれ配置する配置手段と、
前記無線通信端末装置から、前記ＣＣＥのＣＣＥ番号に対応した１つの上り単位バンドにおける上り回線のリソースを用いて送信された、前記下り回線データに対する応答信号を受信する受信手段と、
を具備する無線通信基地局装置。
【請求項１１】
複数の下り単位バンドに配置された、無線通信端末装置宛ての下り回線データのリソース割当情報を受信し、
前記複数の下り単位バンドにおいて前記リソース割当情報が配置されたＣＣＥのＣＣＥ番号に対応した、１つの上り単位バンドにおける上り回線のリソースを用いて、前記下り回線データに対する応答信号を送信する、
応答信号送信方法。
【手続補正３】
【補正対象書類名】図面
【補正対象項目名】全図
【補正方法】変更
【補正の内容】
【図１】
2010050233.tif 000011
【図２】
2010050233.tif 000012
【図３】
2010050233.tif 000013
【図４】
2010050233.tif 000014
【図５】
2010050233.tif 000015
【図６】
2010050233.tif 000016
【図７】
2010050233.tif 000017
【図８】
2010050233.tif 000018
【国際調査報告】
2010050233.tif 000019
2010050233.tif 000020
2010050233.tif 000021
2010050233.tif 000022